(57)【要約】  本開示の実施形態は、位相追跡参照信号（ＰＴＲＳ）構成のための方法及び装置に関する。例示的な実施形態では、ネットワークデバイスで実行される方法が提供される。この方法によれば、ネットワークデバイスと端末デバイスとの間で伝送されるＰＴＲＳの時間密度、周波数密度、及びグループパターンのうちの少なくとも１つに関連する候補閾値の集合が決定される。少なくとも１つの候補閾値の部分集合は、候補閾値の集合から選択される。端末デバイスがＰＴＲＳの密度を決定するために使用される少なくとも１つの閾値は、少なくとも１つの候補閾値の部分集合から選択される。そして、ネットワークデバイスは、少なくとも１つの閾値の指示を端末デバイスに伝送する。【選択図】図３
2021516002.tif 000002
【特許請求の範囲】
【請求項１】
ネットワークデバイスで実行される方法であって、
前記ネットワークデバイスと端末デバイスとの間で伝送される位相追跡参照信号（ＰＴＲＳ：Ｐｈａｓｅ  Ｔｒａｃｋｉｎｇ  Ｒｅｆｅｒｅｎｃｅ  Ｓｉｇｎａｌ）の時間密度、周波数密度及びグループパターンのうちの少なくとも１つに関連する候補閾値の集合を決定することと、
前記候補閾値の集合から、少なくとも１つの候補閾値の部分集合を選択することと、
前記少なくとも１つの候補閾値の部分集合から、前記端末デバイスが前記ＰＴＲＳの密度を決定するために使用される少なくとも１つの閾値を選択することと、
前記少なくとも１つの閾値の指示を前記端末デバイスに伝送することと、
を有する方法。
【請求項２】
前記ＰＴＲＳは、
前記端末デバイスから前記ネットワークデバイスに伝送されるアップリンクＰＴＲＳ、及び
前記ネットワークデバイスから前記端末デバイスに伝送されるダウンリンクＰＴＲＳ、
のうちの１つである請求項１に記載の方法。
【請求項３】
前記候補閾値の集合を決定することは、
前記候補閾値の集合の各々が所定の範囲内にあるように、前記ＰＴＲＳの周波数密度及び／又はグループパターンに関連する前記候補閾値の集合を決定することを有する、請求項１に記載の方法。
【請求項４】
前記候補閾値の集合を決定することは、さらに、
前記候補閾値の集合の少なくとも１つが２の冪であるように、前記ＰＴＲＳの周波数密度及び／又はグループパターンに関連する前記候補閾値の集合を決定することを有する、請求項３に記載の方法。
【請求項５】
前記候補閾値の集合を決定することは、さらに、
前記候補閾値の集合の少なくとも１つが自然数の２乗であるように、前記ＰＴＲＳの周波数密度及び／又はグループパターンに関連する前記候補閾値の集合を決定することを有する、請求項３に記載の方法。
【請求項６】
前記候補閾値の集合を決定することは、
所定の変調次数に基づいて、前記ＰＴＲＳの時間密度に関連する前記候補閾値の集合を決定することを有する、請求項１に記載の方法。
【請求項７】
前記候補閾値の集合を決定することは、さらに、
前記所定の変調次数に基づいて、前記ＰＴＲＳの時間密度に関連する前記候補閾値の集合内の候補閾値の数を減らすためのステップサイズを決定することと、
前記ＰＴＲＳの時間密度に関連する前記候補閾値の集合内の候補閾値の数を減らすために前記ステップサイズを適用することと、
を有する請求項６に記載の方法。
【請求項８】
前記少なくとも１つの閾値の指示を前記端末デバイスに伝送することは、
前記少なくとも１つの候補閾値の部分集合内の候補閾値の数に基づいて、前記少なくとも１つの閾値を指示するためのビット数を決定することと、
前記決定されたビット数で前記少なくとも１つの閾値の指示を伝送することと、
を有する請求項１に記載の方法。
【請求項９】
前記少なくとも１つの閾値の指示を前記端末デバイスに伝送することは、
上位層シグナリングを介して、前記少なくとも１つの閾値の指示を前記端末デバイスに伝送することを有する、請求項１に記載の方法。
【請求項１０】
端末デバイスで実行される方法であって、
ネットワークデバイスと前記端末デバイスとの間で伝送される位相追跡参照信号（ＰＴＲＳ：Ｐｈａｓｅ  Ｔｒａｃｋｉｎｇ  Ｒｅｆｅｒｅｎｃｅ  Ｓｉｇｎａｌ）の時間密度、周波数密度及びグループパターンのうちの少なくとも１つに関連する候補閾値の集合を決定することと、
前記候補閾値の集合から、少なくとも１つの候補閾値の部分集合を選択することと、
前記ネットワークデバイスから前記ＰＴＲＳの密度を決定するために使用される少なくとも１つの閾値の指示を受信したことに応答して、前記指示と前記少なくとも１つの候補閾値の部分集合とに基づいて前記少なくとも１つの閾値を決定することと、
を有する方法。
【請求項１１】
前記ＰＴＲＳは、
前記端末デバイスから前記ネットワークデバイスに伝送されるアップリンクＰＴＲＳ、及び
前記ネットワークデバイスから前記端末デバイスに伝送されるダウンリンクＰＴＲＳ、
のうちの１つである請求項１０に記載の方法。
【請求項１２】
前記候補閾値の集合を決定することは、
前記候補閾値の集合の各々が所定の範囲内にあるように、前記ＰＴＲＳの周波数密度及び／又はグループパターンに関連する前記候補閾値の集合を決定することを有する、請求項１０に記載の方法。
【請求項１３】
前記候補閾値の集合を決定することは、さらに、
前記候補閾値の集合の少なくとも１つが２の冪であるように、前記ＰＴＲＳの周波数密度及び／又はグループパターンに関連する前記候補閾値の集合を決定することを有する、請求項１２に記載の方法。
【請求項１４】
前記候補閾値の集合を決定することは、さらに、
前記候補閾値の集合の少なくとも１つが自然数の２乗であるように、前記ＰＴＲＳの周波数密度及び／又はグループパターンに関連する前記候補閾値の集合を決定することを有する、請求項１２に記載の方法。
【請求項１５】
前記候補閾値の集合を決定することは、
所定の変調次数に基づいて、前記ＰＴＲＳの時間密度に関連する前記候補閾値の集合を決定することを有する、請求項１０に記載の方法。
【請求項１６】
前記候補閾値の集合を決定することは、さらに、
前記所定の変調次数に基づいて、前記ＰＴＲＳの時間密度に関連する前記候補閾値の集合内の候補閾値の数を減らすためのステップサイズを決定することと、
前記ＰＴＲＳの時間密度に関連する前記候補閾値の集合内の候補閾値の数を減らすために前記ステップサイズを適用することと、
を有する請求項１５に記載の方法。
【請求項１７】
前記少なくとも１つの閾値の指示を受信することは、
上位層シグナリングを介して、前記ネットワークデバイスから前記少なくとも１つの閾値の指示を受信することを有する、請求項１０に記載の方法。
【請求項１８】
前記少なくとも１つの閾値に基づいて前記ＰＴＲＳの密度を決定することを、さらに有し、
前記ＰＴＲＳの密度は、前記ＰＴＲＳの時間密度及び周波数密度のうちの１つである、請求項１０に記載の方法。
【請求項１９】
プロセッサと、
前記プロセッサに接続され、命令が格納されたメモリと、
を備え、
前記命令は、前記プロセッサによって実行されると、ネットワークデバイスに請求項１から９のいずれか１項に記載の方法を実行させる、
ネットワークデバイス。
【請求項２０】
プロセッサと、
前記プロセッサに接続され、命令が格納されたメモリと、
を備え、
前記命令は、前記プロセッサによって実行されると、端末デバイスに請求項１０から１８のいずれか１項に記載の方法を実行させる、
端末デバイス。
【請求項２１】
少なくとも１つのプロセッサで実行されると、前記少なくとも１つのプロセッサに請求項１から９のいずれか１項に記載の方法を実行させる命令が格納されたコンピュータ読み取り可能な媒体。
【請求項２２】
少なくとも１つのプロセッサで実行されると、前記少なくとも１つのプロセッサに請求項１０から１８のいずれか１項に記載の方法を実行させる命令が格納されたコンピュータ読み取り可能な媒体。
【発明の詳細な説明】
【技術分野】
【０００１】
本開示の実施形態は、一般的に、電気通信分野に関し、特に、位相追跡参照信号（ＰＴＲＳ：Ｐｈａｓｅ  ｔｒａｃｋｉｎｇ  Ｒｅｆｅｒｅｎｃｅ  Ｓｉｇｎａｌ）構成のための方法及び装置に関する。
【背景技術】
【０００２】
通信技術の発展に伴い、複数のタイプのサービス又はトラフィックが提案されており、例えば、一般的に高いデータレートを必要とする拡張モバイルブロードバンド（ｅＭＢＢ：ｅｎｈａｎｃｅｄ  Ｍｏｂｉｌｅ  Ｂｒｏａｄｂａｎｄ）、通常、長いバッテリー寿命を必要とする大容量マシン型通信（ｍＭＴＣ：ｍａｓｓｉｖｅ  Ｍａｃｈｉｎｅ  Ｔｙｐｅ  Ｃｏｍｍｕｎｉｃａｔｉｏｎｓ）、及び超高信頼性と低遅延通信（ＵＲＬＬＣ：Ｕｌｔｒａ  Ｒｅｌｉａｂｌｅ  ａｎｄ  Ｌｏｗ  Ｌａｔｅｎｃｙ  Ｃｏｍｍｕｎｉｃａｔｉｏｎ）がある。一方、マルチアンテナ方式、ビーム管理、参照信号伝送などは、新しい無線アクセス（ＮＲ：ｎｅｗ  ｒａｄｉｏ  ａｃｃｅｓｓ）のために研究されている。
【０００３】
ＮＲにおいて、位相雑音の補償を可能にするＰＴＲＳは導入されることができる。一般的に、キャリア周波数が高くなると位相雑音が増加するため、ＰＴＲＳは高周波数帯域で動作する無線ネットワークにおける位相雑音を除去することに使用されることができる。現在、時間領域及び周波数領域におけるＰＴＲＳマッピングパターンが研究されているが、詳細なパターンは完全に設計されていない。例えば、時間領域におけるＰＴＲＳポートの密度は、変調及び符号化方式（ＭＣＳ：Ｍｏｄｕｌａｔｉｏｎ  ａｎｄ  Ｃｏｄｉｎｇ  Ｓｃｈｅｍｅ）がスケジュールされていることに関連し、一方、周波数領域におけるＰＴＲＳポートの密度及びＰＴＲＳポートのグループパターン（例えば、ＰＴＲＳグループの数及び１ＰＴＲＳグループあたりのサンプル数）は、スケジュールされた帯域幅（ＢＷ：ｂａｎｄｗｉｄｔｈ）に関連していることが合意されている。
【０００４】
典型的には、ネットワークデバイス（例えば、ｅＮＢ又はｇＮＢ）は、端末デバイスが複数のＭＣＳ閾値とスケジュールされたＭＣＳとに基づいて、ＰＴＲＳポートの時間密度を決定することができるように、端末デバイスに複数のＭＣＳ閾値を設定してもよい。さらに、ネットワークデバイスは、端末デバイスが複数の帯域幅閾値とスケジュールされた帯域幅とに基づいて、ＰＴＲＳポートの周波数密度及び／又はグループパターンを決定することができるように、端末デバイスに複数のＢＷ閾値をさらに設定してもよい。この場合、ＰＴＲＳについて異なる閾値を設定するためのシグナリングオーバーヘッドが大きい可能性がある。したがって、ＰＴＲＳポートの時間密度、周波数密度及び／又はグループパターンについて異なる閾値を設定するスキームは、構成の柔軟性とシグナリングオーバーヘッドとのバランスをとる必要がある。
【発明の概要】
【発明が解決しようとする課題】
【０００５】
概して、本開示の例示的な実施形態は、ＰＴＲＳ構成のための方法及び装置を提供する。
【課題を解決するための手段】
【０００６】
第１の態様では、ネットワークデバイスで実行される方法が提供される。この方法によれば、ネットワークデバイスと端末デバイスとの間で伝送される位相追跡参照信号（ＰＴＲＳ）の密度に関連する候補閾値の集合が決定される。候補閾値の集合から、少なくとも１つの候補閾値の部分集合が選択される。端末デバイスがＰＴＲＳの密度を決定するために使用される少なくとも１つの閾値は、少なくとも１つの候補閾値の部分集合から選択される。次に、ネットワークデバイスは、少なくとも１つの閾値の指示を端末デバイスに伝送する。
【０００７】
第２の態様では、端末デバイスで実行される方法が提供される。この方法によれば、ネットワークデバイスと端末デバイスとの間で伝送される位相追跡参照信号（ＰＴＲＳ）の密度に関連する候補閾値の集合が決定される。少なくとも１つの候補閾値の部分集合は、候補閾値の集合から選択される。ネットワークデバイスから、ＰＴＲＳの密度を決定するために使用される少なくとも１つの閾値の指示を受信したことに応答して、端末デバイスは、指示及び少なくとも１つの候補閾値の部分集合に基づいて、少なくとも１つの閾値を決定する。
【０００８】
第３の態様では、ネットワークデバイスが提供される。ネットワークデバイスは、プロセッサと、プロセッサに接続されたメモリとを備える。メモリは、プロセッサによって実行されると、ネットワークデバイスに動作を実行させる命令が格納された。動作は、ネットワークデバイスと端末デバイスとの間で伝送される位相追跡参照信号（ＰＴＲＳ）の密度に関連する候補閾値の集合を決定することと、候補閾値の集合から少なくとも１つの候補閾値の部分集合を選択することと、少なくとも１つの候補閾値の部分集合から、端末デバイスがＰＴＲＳの密度を決定するために使用される少なくとも１つの閾値を選択することと、少なくとも１つの閾値の指示を端末デバイスに伝送することと、を有する。
【０００９】
第４の態様では、端末デバイスが提供される。端末デバイスは、プロセッサと、プロセッサに接続されたメモリとを備える。メモリは、プロセッサによって実行されると、端末デバイスに動作を実行させる命令が格納された。動作は、ネットワークデバイスと端末デバイスとの間で伝送される位相追跡参照信号（ＰＴＲＳ）の密度に関連する候補閾値の集合を決定することと、候補閾値の集合から少なくとも１つの候補閾値の部分集合を選択することと、ネットワークデバイスからＰＴＲＳの密度を決定するために使用される少なくとも１つの閾値の指示を受信したことに応答して、指示及び少なくとも１つの候補閾値の部分集合に基づいて少なくとも１つの閾値を決定することと、を有する。
【００１０】
第５の態様では、命令が格納されたコンピュータ読み取り可能な媒体が提供される。命令は、少なくとも１つのプロセッサで実行されると、少なくとも１つのプロセッサに本開示の第１の態様による方法を実行させる。
【００１１】
第６の態様では、命令が格納されコンピュータ読み取り可能な媒体が提供される。命令は、少なくとも１つのプロセッサで実行されると、少なくとも１つのプロセッサに本開示の第２の態様による方法を実行させる。
【００１２】
第７の態様では、コンピュータ読み取り可能な記憶媒体に有形に格納されたコンピュータプログラム製品が提供される。コンピュータプログラム製品は、少なくとも１つのプロセッサで実行されると、少なくとも１つのプロセッサに本開示の第１の態様又は第２の態様による方法を実行させる命令を含む。
【００１３】
本開示の他の特徴は、以下の説明を通して容易に理解可能になる。
【図面の簡単な説明】
【００１４】
添付図面における本開示のいくつかの実施形態のより詳細な説明を通じて、本開示の上記及び他の目的、特徴及び利点がより明らかになる。
【００１５】
【図１】本開示の実施形態が実施され得る通信環境のブロック図である。
【００１６】
【図２】本開示のいくつかの実施形態にかかるＰＴＲＳ伝送のためのプロセスを示す。
【００１７】
【図３】本開示のいくつかの実施形態にかかるＰＴＲＳ構成のための例示的な方法３００のフローチャートを示す。
【００１８】
【図４】本開示のいくつかの実施形態にかかる異なるＢＷ閾値について決定される異なる部分集合の概略図を示す。
【００１９】
【図５】本開示のいくつかの実施形態にかかる異なるＭＣＳ閾値について決定される異なる部分集合の概略図を示す。
【００２０】
【図６】本開示のいくつかの実施形態にかかる例示的な方法６００のフローチャートを示す。
【００２１】
【図７】本開示の実施形態を実施することに適するデバイスの簡略的なブロック図である。
【００２２】
図面全体において、同一又は類似の参照番号は、同一又は類似の要素を表す。
【発明を実施するための形態】
【００２３】
本開示の原理は、いくつかの例示的な実施形態を参照して説明する。これらの実施形態は、例示の目的で記載されることにすぎず、本開示の範囲に関する制限をするものではなく、当業者が本開示を理解及び実施することを助けることを理解されたい。本明細書で説明される開示は、以下で説明されるもの以外の様々な方法で実施されることができる。
【００２４】
以下の説明及び特許請求の範囲において、別途定義されない限り、本明細書で使用されるすべての技術用語及び科学用語は、本開示が属する技術分野の当業者によって一般的に理解されるものと同じ意味を有する。
【００２５】
本明細書で使用されるとき、「ネットワークデバイス」又は「基地局」（ＢＳ：Ｂａｓｅ  Ｓｔａｔｉｏｎ）という用語は、端末デバイスが通信できるセルやカバレッジを提供し、又はホストできるデバイスを指す。ネットワークデバイスの例として、ノードＢ（ＮｏｄｅＢ又はＮＢ）、Ｅｖｏｌｖｅｄ  ＮｏｄｅＢ（ｅＮｏｄｅＢ又はｅＮＢ）、次世代ＮｏｄｅＢ（ｇＮＢ）、リモート無線ユニット（ＲＲＵ：Ｒｅｍｏｔｅ  Ｒａｄｉｏ  Ｕｎｉｔ）、無線ヘッド（ＲＨ：Ｒａｄｉｏ  Ｈｅａｄ）、リモート無線ヘッド（ＲＲＨ：Ｒｅｍｏｔｅ  Ｒａｄｉｏ  Ｈｅａｄ）、及びフェムトノードやピコノードなどの低電力ノードなどが挙げられるが、それらに限定されない。検討の目的のために、以下、ネットワークデバイスの例としてｇＮＢを参照していくつかの実施形態を説明する。
【００２６】
本明細書で使用されるとき、「端末デバイス」という用語は、無線又は有線の通信機能を有する任意のデバイスを指す。端末デバイスの例として、ユーザ機器（ＵＥ：Ｕｓｅｒ  Ｅｑｕｉｐｍｅｎｔ）、パーソナルコンピュータ、デスクトップ、移動電話、セルラー電話、スマートフォン、携帯情報端末（ＰＤＡ：Ｐｅｒｓｏｎａｌ  Ｄｉｇｉｔａｌ  Ａｓｓｉｓｔａｎｔ）、ポータブルコンピュータ、デジタルカメラなどの画像キャプチャデバイス、ゲームデバイス、音楽ストレージ及び再生機器、又は無線や有線インターネットアクセス及びブラウジングなどを可能にするインターネット機器が挙げられるが、それらに限定されない。検討の目的のために、以下では、端末デバイスの例としてＵＥを参照していくつかの実施形態を説明する。
【００２７】
本明細書で使用されるとき、単数形「１つ（ａ）」、「１つ（ａｎ）」、及び「上記（ｔｈｅ）」は、文脈からそうでないことが明確に示されていない限り、複数形も含むことを意図している。「含む」という用語及びその変形は、「含むがこれに限定されない」ことを意味するオープンな用語として読まれる。「に基づいて」という用語は、「少なくとも部分的に基づいて」と読まれる。「一実施形態」及び「実施形態」という用語は、「少なくとも一実施形態」と読まれる。「別の実施形態」という用語は、「少なくとも１つの他の実施形態」と読まれる。「第１」、「第２」などの用語は、異なるオブジェクト又は同じオブジェクトを指す。明示的及び暗黙的なその他の定義は、以下に含まれる。
【００２８】
いくつかの例では、値、手順、又は装置は、「最もよい」、「最も低い」、「最も高い」、「最小」、「最大」などと見なされる。このような説明は、多くの使用される機能的選択肢から選択を行うことができることを指し、このような選択は他の選択に比べてより良く、小さく、高く、又はより好ましい必要がないことを意図している。
【００２９】
本開示で説明する通信は、任意の適切な規格に準拠してもよく、ここでの規格は、新しい無線アクセス（ＮＲ）、ロングタームエボリューション（ＬＴＥ：Ｌｏｎｇ  Ｔｅｒｍ  Ｅｖｏｌｕｔｉｏｎ）、ＬＴＥエボリューション、ＬＴＥアドバンスト（ＬＴＥ−Ａ：ＬＴＥ−Ａｄｖａｎｃｅｄ）、広帯域符号分割多重アクセス（ＷＣＤＭＡ（登録商標）：Ｗｉｄｅｂａｎｄ  Ｃｏｄｅ  Ｄｉｖｉｓｉｏｎ  Ｍｕｌｔｉｐｌｅ  Ａｃｃｅｓｓ）、符号分割多元アクセス（ＣＤＭＡ：Ｃｏｄｅ  Ｄｉｖｉｓｉｏｎ  Ｍｕｌｔｉｐｌｅ  Ａｃｃｅｓｓ）、及びモバイル通信用グローバルシステム（ＧＳＭ：Ｇｌｏｂａｌ  Ｓｙｓｔｅｍ  ｆｏｒ  Ｍｏｂｉｌｅ）などを含むが、これらに限定されない。さらに、通信は、現在知られている、又は将来に開発される任意の世代の通信プロトコルに従って実行されてもよい。通信プロトコルの例には、第１世代（１Ｇ）、第２世代（２Ｇ）、２．５Ｇ、２．７５Ｇ、第３世代（３Ｇ）、第４世代（４Ｇ）、４．５Ｇ、第５世代（５Ｇ）の通信プロトコルが含まれるが、これらに限定されない。
【００３０】
図１は、本開示の実施形態が実施され得る例示的な通信ネットワーク１００を示す。ネットワーク１００は、ネットワークデバイス１１０と、ネットワークデバイス１１０の配下の３つの端末デバイス１２０−１乃至１２０−３（まとめて端末デバイス１２０と称し、又は個別に端末デバイス１２０と称する）とを含む。ネットワークデバイス１１０のカバレッジは、セル１０２とも称する。基地局及び端末デバイスの数は、例示の目的に過ぎず、これらに限定される意味ではないことを理解されたい。ネットワーク１００は、本開示の実施形態を実施することに適する任意の適切な数の基地局及び端末デバイスを含み得る。図示されていないが、セル１０２に隣接する１つ又は複数の隣接セルが存在する場合があり、このようなセルにおいて、１つ又は複数の対応するネットワークデバイスが、そこにあるいくつかの端末デバイスに対してサービスを提供することを理解されたい。
【００３１】
ネットワークデバイス１１０は、端末デバイス１２０と通信可能である。ネットワーク１００における通信は、任意の適切な規格に準拠してもよく、ここでの規格は、ロングタームエボリューション（ＬＴＥ）、ＬＴＥエボリューション、ＬＴＥアドバンスト（ＬＴＥ−Ａ）、広帯域符号分割多重アクセス（ＷＣＤＭＡ）、符号分割多元アクセス（ＣＤＭＡ）、及びモバイル通信用グローバルシステム（ＧＳＭ）など、を含むが、これらに限定されない。さらに、通信は、現在知られている、又は将来に開発される任意の世代の通信プロトコルに従って実行されてもよい。通信プロトコルの例には、第１世代（１Ｇ）、第２世代（２Ｇ）、２．５Ｇ、２．７５Ｇ、第３世代（３Ｇ）、第４世代（４Ｇ）、４．５Ｇ、第５世代（５Ｇ）の通信プロトコルが含まれるが、これらに限定されない。
【００３２】
従来のように、ネットワークデバイス（例えば、ｅＮＢやｇＮＢ）は、復調参照信号（ＤＭＲＳ：Ｄｅｍｏｄｕｌａｔｉｏｎ  Ｒｅｆｅｒｅｎｃｅ  Ｓｉｇｎａｌ）、チャネル状態情報参照信号（ＣＳＩ−ＲＳ：Ｃｈａｎｎｅｌ  Ｓｔａｔｅ  Ｉｎｆｏｒｍａｔｉｏｎ  Ｒｅｆｅｒｅｎｃｅ  Ｓｉｇｎａｌ）、サウンディング参照信号（ＳＲＳ：Ｓｏｕｎｄｉｎｇ  Ｒｅｆｅｒｅｎｃｅ  Ｓｉｇｎａｌ）、位相追跡参照信号（ＰＴＲＳ）、微小時間及び周波数追跡参照信号（ＴＲＳ）等のダウンリンク参照信号（ＲＳ）を伝送してもよい。システム内の端末デバイス（例えば、ユーザ機器）は、割り当てられたリソース上でダウンリンクＲＳを受信してもよい。端末デバイスは、対応する割り当てられたリソース上でアップリンクＲＳをネットワークデバイスに伝送してもよい。また、割り当てられたリソース及び／又はＲＳに関する他の必要な情報を示すために、ネットワークデバイスは、ＲＳの伝送の前に、ＲＳの構成を端末デバイスに伝送してもよい。
【００３３】
通常のデータ通信に加えて、ネットワークデバイス１１０は、ダウンリンク（ＤＬ：ｄｏｗｎｌｉｎｋ）で端末デバイス１２０のうちの１つ以上にブロードキャスト、マルチキャスト、及び／又はユニキャストの方式でダウンリンク参照信号（ＲＳ）を伝送してもよい。同様に、１つ又は複数の端末デバイス１２０は、アップリンク（ＵＬ：ｕｐｌｉｎｋ）でＲＳをネットワークデバイス１１０に伝送してもよい。本明細書で使用されるとき、「ダウンリンク」とは、ネットワークデバイスから端末デバイスへのリンクを指し、「アップリンク」とは、端末デバイスからネットワークデバイスへのリンクを指す。ＲＳの例は、ダウンリンク又はアップリンクの復調参照信号（ＤＭＲＳ）、チャネル状態情報参照信号（ＣＳＩ−ＲＳ）、サウンディング参照信号（ＳＲＳ）、位相追跡参照信号（ＰＴＲＳ）、微小時間及び周波数追跡参照信号（ＴＲＳ）などを含むが、これらに限定されない。
【００３４】
一般的に言えば、ＲＳは、ネットワークデバイス１１０及び端末デバイス１２０の両方に共有される信号シーケンス（「ＲＳシーケンス」とも称する）である。例えば、ネットワークデバイス１１０があるルールに基づいてＲＳシーケンスを生成して伝送し、端末デバイス１２０が同じルールに基づいてＲＳシーケンスを推定する。ダウンリンク及びアップリンクＲＳの伝送中、ネットワークデバイス１１０は、伝送のための対応するリソース（「ＲＳリソース」とも称する）を割り当て、及び／又はどのＲＳシーケンスを伝送するかを指定する。
【００３５】
いくつかのシナリオでは、ネットワークデバイス１１０及び端末デバイス１２０の両方が、複数のアンテナポート（又はアンテナ素子）を備え、アンテナポート（アンテナ素子）で、指定されたＲＳシーケンスを伝送することができる。また、複数のＲＳポートに関連付けられたＲＳリソースの集合も指定される。ＲＳポートは、ＲＳ伝送のために時間領域、周波数領域、及び／又は符号領域において割り当てられたリソース領域の１つ以上のリソース要素（ＲＥ）へのＲＳシーケンスの一部又は全部の特定のマッピングとして見なされることができる。このようなリソース割り当て情報は、ＲＳの伝送の前に端末デバイス１２０に対して示されてもよい。
【００３６】
ＮＲにおいて、位相雑音の補償を可能にするＰＴＲＳは導入されることができる。一般的に、位相雑音はキャリア周波数が高くなるにつれて増加するので、ＰＴＲＳは高周波数帯域で動作する無線ネットワークにおける位相雑音を除去することに使用することができる。現在、時間領域及び周波数領域におけるＰＴＲＳマッピングパターンが研究されているが、詳細なパターンは完全に設計されていない。例えば、時間領域におけるＰＴＲＳの密度（ＰＴＲＳの「時間密度」とも称する）は、変調及び符号化方式（ＭＣＳ）がスケジュールされていることに関連し、一方、周波数領域におけるＰＴＲＳの密度（ＰＴＲＳの「周波数密度」とも称する）及びＰＴＲＳポートのグループパターン（例えば、ＰＴＲＳグループの数及び１ＰＴＲＳグループあたりのサンプル数）は、スケジュールされたＢＷ（例えば、スケジュールされたＲＢの数）に関連していることが合意されている。
【００３７】
ＯＦＤＭベースのシステムの場合、ＰＴＲＳの時間密度は、ゼロ（すなわち、ＰＴＲＳが存在しない）、４つ目のシンボル毎に（すなわち、１／４）、２つ目のシンボル毎に（すなわち、１／２）、又は１シンボル毎に（すなわち、１）ＰＴＲＳが存在するように構成されてもよい。ＰＴＲＳの時間密度は、スケジュールされたＭＣＳに関連付けられる。例えば、表１は、スケジュールされたＭＣＳとＰＴＲＳの時間密度との関連付けを示す。表１において、ｐｔｒｓ−ＭＣＳ１〜ｐｔｒｓ−ＭＣＳ４は、それぞれ、ネットワークデバイスによって設定される必要があるＭＣＳ閾値を表す。
【表１】
2021516002.tif 000003
【００３８】
同様に、ＰＴＲＳの周波数密度は、ゼロ（すなわち、ＰＴＲＳが存在しない）、１ＲＢ毎に（すなわち、１）、２つ目のＲＢ毎に（すなわち、１／２）、又は４つ目のＲＢ毎に（すなわち、１／４）ＰＴＲＳが存在するように構成されてもよい。ＰＴＲＳの周波数密度は、スケジュールされた帯域幅（すなわち、スケジュールされたＲＢの数）に関連付けられる。例えば、表２は、スケジュールされた帯域幅（ＮＲＢとして表される）とＰＴＲＳの周波数密度との関連付けを示す。表２において、ＮＲＢ０及びＮＲＢ１は、それぞれ、ネットワークデバイスによって設定される必要がある帯域幅閾値を表す。
【表２】
2021516002.tif 000004
【００３９】
同様に、ＰＴＲＳポートのグループパターンは、ＰＴＲＳグループの数と、１ＰＴＲＳグループあたりのサンプル数とを含んでもよい。例えば、表３は、スケジュールされた帯域幅（ＮＲＢとして表される）とＰＴＲＳのグループパターンとの関連付けを示す。いくつかの実施形態では、ＰＴＲＳのグループパターンは、ＤＦＴ−ｓ−ＯＦＤＭ（Ｄｉｓｃｒｅｔｅ  Ｆｏｕｒｉｅｒ  Ｔｒａｎｓｆｏｒｍ  −  Ｓｐｒｅａｄ  −  Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）に使用されてもよい。表３において、ＮＲＢ０、ＮＲＢ１、ＮＲＢ２、ＮＲＢ３、及びＮＲＢ４は、それぞれ、ネットワークデバイスによって設定される必要がある帯域幅閾値を表す。
【表３】
2021516002.tif 000005
【００４０】
典型的には、ネットワークデバイス１１０は、端末デバイス１２０が、複数のＭＣＳ閾値（表１に示すｐｔｒｓ−ＭＣＳ１〜ｐｔｒｓ−ＭＣＳ４など）とスケジュールされたＭＣＳとに基づいて、ＰＴＲＳの時間密度を決定できるように、端末デバイス１２０に複数のＭＣＳ閾値を設定してもよい。さらに、ネットワークデバイス１１０は、端末デバイスが、複数の帯域幅閾値（表２に示すＮＲＢ０及びＮＲＢ１、及び／又は表３に示すＮＲＢ０〜ＮＲＢ４など）とスケジュールされた帯域幅とに基づいて、ＰＴＲＳの周波数密度及び／又はグループパターンを決定できるように、端末デバイスに複数の帯域幅閾値個を設定してもよい。この場合、異なる閾値を設定するためのシグナリングオーバーヘッドが大きくなる可能性がある。
【００４１】
上記の問題及び１つ又は複数の他の潜在的な問題を解決するために、本開示の例示的な実施形態によれば、ＰＴＲＳの時間密度、周波数密度及びグループパターンのうちの少なくとも１つについて異なる閾値を設定するソリューションが提供される。このソリューションによって、ＰＴＲＳの時間密度、周波数密度及び／又はグループパターンに異なる閾値を指示するためのシグナリングオーバーヘッドを低減することができる。
【００４２】
以下、図２〜６を参照しながら本開示の原理及び実施について詳細に説明する。ここで、図２は、本開示のいくつかの実施形態にかかるＰＴＲＳ伝送のための２つのプロセス２１０及び２２０を示す。検討の目的のために、図１を参照してプロセス２１０及び２２０を説明する。プロセス２１０及び２２０には、ネットワークデバイス１１０と、ネットワークデバイス１１０の配下の端末デバイス１２０が関与される。
【００４３】
図２に示すように、プロセス２１０は、ＤＬ  ＰＴＲＳ伝送の場合に向けられる。いくつかの実施形態では、ネットワークデバイス１１０は、ＰＴＲＳの時間密度、周波数密度、及びグループパターンのうちの少なくとも１つに関連する複数の閾値を上位層シグナリングを介して端末デバイス１２０に示してもよい（２１１）。上位層シグナリングの例には、無線リソース制御（ＲＲＣ：Ｒａｄｉｏ  Ｒｅｓｏｕｒｃｅ  Ｃｏｎｔｒｏｌ）及び／又はメディアアクセス制御（ＭＡＣ：Ｍｅｄｉｕｍ  Ａｃｃｅｓｓ  Ｃｏｎｔｒｏｌ）の制御要素（ＣＥ：Ｃｏｎｔｒｏｌ  Ｅｌｅｍｅｎｔ）が含まれるが、これらに限定されない。ネットワークデバイス１１０から複数の閾値を受信したことに応答して、端末デバイス１２０は、スケジュールされたＭＣＳ及び／又は帯域幅と、複数の閾値とに基づいて、ＰＴＲＳの時間密度、周波数密度、及びグループパターンのうちの少なくとも１つを決定してもよい（２１２）。いくつかの実施形態では、ネットワークデバイス１１０は、動的シグナリング（ダウンリンク制御情報（ＤＣＩ：ｄｏｗｎｌｉｎｋ  ｃｏｎｔｒｏｌ  ｉｎｆｏｒｍａｔｉｏｎ）など）を介して、端末デバイス１２０に更なるＰＴＲＳ構成を示してもよい（２１３）。例えば、更なるＰＴＲＳ構成は、ＰＴＲＳ伝送のためのＰＴＲＳポートがＤＭＲＳポートに関連付けられていることを示してもよい。ネットワークデバイス１１０からＰＴＲＳ構成を受信したことに応答して、端末デバイス１２０は、ＰＴＲＳ構成に基づいて、ＰＴＲＳ伝送のためのＰＴＲＳポートを決定してもよい（２１４）。そして、ネットワークデバイス１１０は、ＰＴＲＳポートと、ＰＴＲＳの時間密度、周波数密度及び／又はグループパターンとに基づいて、ＰＴＲＳを伝送してもよい（２１５）。端末デバイス１２０は、位相雑音を補償するように、ＰＴＲＳポートと、決定されたＰＴＲＳの時間密度、周波数密度及び／又はグループパターンとに基づいて、ＰＴＲＳを検出してもよい。
【００４４】
図２に示すように、プロセス２２０は、ＵＬ  ＰＴＲＳ伝送の場合に向けられる。いくつかの実施形態では、ネットワークデバイス１１０は、ＰＴＲＳの時間密度、周波数密度、及びグループパターンのうちの少なくとも１つに関連する複数の閾値を上位層シグナリング（ＲＲＣ及び／又はＭＡＣ  ＣＥなど）を介して端末デバイス１２０に示してもよい（２２１）。ネットワークデバイス１１０から複数の閾値を受信したことに応答して、端末デバイス１２０は、スケジュールされたＭＣＳ及び／又は帯域幅と、複数の閾値とに基づいて、ＰＴＲＳの時間密度、周波数密度、及びグループパターンのうちの少なくとも１つを決定してもよい（２２２）。いくつかの実施形態では、ネットワークデバイス１１０は、動的シグナリング（ダウンリンク制御情報（ＤＣＩ）など）を介して、端末デバイス１２０に更なるＰＴＲＳ構成を示してもよい（２２３）。例えば、更なるＰＴＲＳ構成は、ＰＴＲＳ伝送のためのＰＴＲＳポートがＤＭＲＳポートに関連付けられていることを示してもよい。ネットワークデバイス１１０からＰＴＲＳ構成を受信したことに応答して、端末デバイス１２０は、ＰＴＲＳ構成に基づいて、ＰＴＲＳ伝送のためのＰＴＲＳポートを決定してもよい（２２４）。そして、端末デバイス１２０は、ＰＴＲＳポートと、決定されたＰＴＲＳの時間密度、周波数密度及び／又はグループパターンとに基づいて、ＰＴＲＳを伝送してもよい（２２５）。ネットワークデバイス１１０は、位相雑音を補償するように、ＰＴＲＳを検出してもよい。
【００４５】
ＰＴＲＳの時間密度、周波数密度、及びグループパターンのうちの少なくとも１つに関連する複数の閾値を設定するために、図３は、本開示のいくつかの実施形態にかかるＰＴＲＳ構成のための例示的な方法３００のフローチャートを示す。方法３００は、図１に示すネットワークデバイス１１０で実施されることができる。検討の目的のために、図１を参照してネットワークデバイス１１０の観点から方法３００を説明する。
【００４６】
動作３１０において、ネットワークデバイス１１０は、ネットワークデバイス１１０と端末デバイス１２０との間で伝送されるＰＴＲＳの時間密度、周波数密度、及びグループパターンのうちの少なくとも１つに関連する候補閾値の集合を決定する。いくつかの実施形態では、ＰＴＲＳは、端末デバイス１２０からネットワークデバイス１１０に伝送されるＵＬ  ＰＴＲＳ、及びネットワークデバイス１１０から端末デバイス１２０に伝送されるＤＬ  ＰＴＲＳのうちの１つであってもよい。
【００４７】
いくつかの実施形態では、ＰＴＲＳの周波数密度について、表２におけるＮＲＢ０及びＮＲＢ１のうちの少なくとも１つは、ネットワークデバイス１１０によって設定されなくてもよい。例えば、これらの設定されないＢＷ閾値は、いくつかの所定の値に固定されていてもよい。同様に、いくつかの実施形態では、ＰＴＲＳのグループパターンについて、表３におけるＮＲＢ０〜ＮＲＢ４のうちの少なくとも１つは、ネットワークデバイスによって設定されなくてもよい。例えば、これらの設定されないＢＷ閾値は、いくつかの所定の値に固定されていてもよい。いくつかの実施形態では、ＰＴＲＳの周波数密度及び／又はグループパターンについて、候補ＢＷ閾値の集合は、ネットワークデバイス１１０によって設定される必要があるＢＷ閾値に対してのみ決定されることができる。
【００４８】
いくつかの実施形態では、ＰＴＲＳの周波数密度及び／又はグループパターンについて、ＰＴＲＳの周波数密度及び／又はグループパターンに関連する候補ＢＷ閾値の集合は、候補ＢＷ閾値の集合の各々が所定の範囲内にあるように決定されることができる。例えば、候補ＢＷ閾値の集合は、｛Ｓ１，Ｓ２，Ｓ３，．．．Ｓｋ｝として表されてもよく、ここで、ｋは整数であり、ｋ＞１である。例えば、ＣＰ−ＯＦＤＭ（Ｃｙｃｌｉｃ  Ｐｒｅｆｉｘ−Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）システムにおけるスケジュールされたＢＷ閾値の値範囲は、最小値１と最大値２７６の間であることが合意されている。つまり、ＢＷ閾値のすべての可能な値は、｛１，２，３，…  ２７６｝のように表されることができる。いくつかの実施形態では、候補ＢＷ閾値の集合は、上述したように、ＢＷ閾値のすべての可能な値を含んでもよい。例えば、候補ＢＷ閾値の集合は、ＤＬ及びＵＬ  ＰＴＲＳの両方に使用されてもよい。
【００４９】
いくつかの実施形態では、ＰＴＲＳのグループパターンについて、ＰＴＲＳのグループパターンに関連する候補ＢＷ閾値の集合は、候補ＢＷ閾値の集合の各々が所定の範囲内にあるように決定されることができる。例えば、候補ＢＷ閾値の集合は、｛Ｓ１，Ｓ２，Ｓ３，．．．Ｓｋ｝として表されてもよく、ここで、ｋが整数であり、ｋ＞１である。例えば、ＤＦＴ−ｓ−ＯＦＤＭシステムにおけるスケジュールされたＢＷ閾値の値範囲は、最小値１と最大値２７６の間であることが合意されている。つまり、ＢＷ閾値のすべての可能な値は、｛１，２，３，…  ２７６｝として表されることができる。いくつかの実施形態では、候補ＢＷ閾値の集合は、上述したように、ＢＷ閾値のすべての可能な値を含んでもよい。例えば、候補ＢＷ閾値の集合は、ＵＬ  ＰＴＲＳのみに使用されてもよい。
【００５０】
いくつかの実施形態では、ＰＴＲＳの周波数密度及び／又はグループパターンに関連する候補ＢＷ閾値の集合は、ＢＷ閾値のすべての可能な値の部分集合であると決定されることができる。例えば、ＰＴＲＳの周波数密度及び／又はグループパターンに関連する候補ＢＷ閾値の集合は、｛Ｓ１，Ｓ２，Ｓ３，．．．Ｓｋ｝の部分集合であってもよい。いくつかの実施形態では、部分集合は、集合｛Ｓ１，Ｓ２，Ｓ３，．．．Ｓｋ｝から不均等に選択されてもよい。例えば、集合｛Ｓ１、Ｓ２，Ｓ３，．．．Ｓｋ｝は、複数の範囲、例えば、Ｒ１、Ｒ２、Ｒ３、．．．Ｒｍに分割されてもよい。範囲Ｒ１は、｛Ｓ１，Ｓ２，．．．ＳＲ＿１｝であってもよく、ここで、Ｒ＿１は整数であり、Ｒ＿１≧１である。同様に、部分集合Ｒｉ（ここで、ｉ≧２）は、｛Ｓ（Ｒ＿（ｉ−１））＋１，Ｓ（Ｒ＿（ｉ−１））＋２，．．．ＳＲ＿ｉ｝であってもよく、ここで、Ｒ＿ｉ及びＲ＿（ｉ−１）はいずれも整数であり、Ｒ＿ｉ＞Ｒ＿（ｉ−１）である。いくつかの実施形態では、部分集合は、異なる範囲から不均等に選択され得る。異なる範囲では、部分集合のために選択される値の数がそれぞれ異なっていてもよい。例えば、範囲Ｒｉ−１では、部分集合のために選択される値の数は、範囲Ｒｉよりも多くてもよい。いくつかの実施形態では、異なる範囲では、それぞれ、間隔は部分集合のための値を選択することに使用されることができる。例えば、間隔は、それぞれの範囲において、部分集合のために選択された最も近い２つの値の間の距離を表してもよい。いくつかの実施形態では、異なる範囲では、部分集合のための値を選択する間隔は異なっていてもよい。例えば、範囲Ｒｉ−１について、部分集合のための値を選択する間隔は、範囲Ｒｉよりも小さくてもよい。例えば、ＢＷ閾値の値が比較的小さい場合、ＢＷ閾値の部分集合にはより多くの値が含まれる。ＢＷ閾値の値が比較的大きい場合、ＢＷ閾値の部分集合にはより少ない値が含まれる。例えば、ＢＷ閾値の値が比較的小さい場合、ＢＷ閾値の部分集合を選択するために使用される間隔は、比較的小さくてもよい。ＢＷ閾値の値が比較的大きい場合、ＢＷ閾値の部分集合を選択するために使用される間隔は、比較的大きくてもよい。具体的には、いくつかの実施形態では、ＰＴＲＳの周波数密度及び／又はグループパターンに関連する候補ＢＷ閾値の集合は、候補ＢＷ閾値の集合の少なくとも１つが２の冪であるように決定され得る。例えば、表４は、ｎが整数であり、０≦ｎ≦９である２ｎのすべての可能な値を示している。
【表４】
2021516002.tif 000006
【００５１】
上述したように、候補ＢＷ閾値は、所定の範囲である［１，２７６］内にあることが好ましい。したがって、いくつかの実施形態では、表４に示す２９は、ＰＴＲＳの周波数密度及び／又はグループパターンに関連する候補ＢＷ閾値の集合から除外されてもよい。いくつかの実施形態では、ある値が所定の値Ｘよりも大きい場合、候補ＢＷ閾値の集合に当該値を含む必要がない場合がある。例えば、２９は、スケジュールされたＢＷ閾値の可能な最大値（すなわち、２７６）に置き換えられることができる。例えば、候補ＢＷ閾値の集合は、｛１，２，４，８，１６，３２，６４，１２８，２５６，２７６｝のうちの少なくとも１つを含むことができる。別の例として、候補ＢＷ閾値の集合は、｛１，２，４，８，１６，３２，６４，１２８，２７６｝のうちの少なくとも１つを含むことができ、ここで、２７６は、表４に示す２８も置き換える。例えば、２５６は２７６に近いので、２５６を候補ＢＷ閾値の集合に含む必要はない。いくつかの実施形態では、ある値が所定の値Ｙ以下であれば、候補ＢＷ閾値の集合に当該値を含む必要はない。例えば、候補ＢＷ閾値の集合は、｛２，４，８，１６，３２，６４，１２８，２５６，２７６｝のうちの少なくとも１つを含むことができる。別の例として、候補ＢＷ閾値の集合は、｛４，８，１６，３２，６４，１２８，２５６，２７６｝のうちの少なくとも１つを含むことができる。代替的又は追加的に、表４に示すより多くの可能な値は、候補ＢＷ閾値の集合からさらに除外されることができ、このようにして、指示される閾値の可能な数を減少することができる。例えば、一実施形態では、候補ＢＷ閾値の集合は、｛１，２，４，８，１６，３２，６４，２７６｝として決定されることができ、ここで、１２８は、候補ＢＷ閾値の集合からさらに除外される。代替的に、別の実施形態では、候補ＢＷ閾値の集合は、｛４，８，１６，３２，６４，１２８，２７６｝として決定されることができる。代替的に、別の実施形態では、候補ＢＷ閾値の集合は、｛３，８，１６，３２，６４，１２８，２７６｝として決定されることができ、ここで、３は、表４に示す値１、２、及び４を置き換える。例えば、端末デバイスに非常に小さなＢＷ閾値を設定する必要はない。
【００５２】
いくつかの実施形態では、ＰＴＲＳの周波数密度及び／又はグループパターンに関連する候補ＢＷ閾値の集合は、ＢＷ閾値のすべての可能な値の部分集合であると決定されることができる。具体的には、いくつかの実施形態では、ＰＴＲＳの周波数密度及び／又はグループパターンに関連する候補ＢＷ閾値の集合は、候補ＢＷ閾値の集合の少なくとも１つが自然数の２乗であるように決定されることができる。例えば、表５は、ｎが自然数であり、１≦ｎ≦１７であるｎ２のすべての可能な値を示す。
【表５】
2021516002.tif 000007
【００５３】
上述したように、候補ＢＷ閾値は、所定の範囲である［１，２７６］内にあることが好ましい。したがって、いくつかの実施形態では、表５に示す１７２は、ＰＴＲＳの周波数密度及び／又はグループパターンに関連する候補ＢＷ閾値の集合から除外されてもよい。例えば、１７２は、スケジュールされたＢＷ閾値の可能な最大値（すなわち、２７６）に置き換えられることができる。この場合、例えば、候補ＢＷ閾値の集合は、｛１，４，９，１６，２５，３６，４９，６４，８１，１００，１２１，１４４，１６９，１９６，２２５，２７６｝のうちの少なくとも１つを含むことができ、ここで、２５６が２７６に近いので、２７６は表４に示す１６２も置き換える。代替的又は追加的に、表５に示すより多くの可能な値は、候補ＢＷ閾値の集合からさらに除外されることができ、これによって、指示されるＢＷ閾値の可能な数を減少することができる。例えば、一実施形態では、候補ＢＷ閾値の集合は、｛１，４，９，１６，２５，４９，８１，１２１，１６９，１９６，２２５，２７６｝のうちの少なくとも１つを含むことができ、ここで、３６、６４、１００及び１４４は、候補ＢＷ閾値の集合からさらに除外される。別の例として、一実施形態では、候補ＢＷ閾値の集合は、｛４，９，１６，２５，３６，４９，６４，８１，１００，１２１，１４４，１６９，１９６，２２５，２７６｝のうちの少なくとも１つを含むことができる。別の例として、一実施形態では、候補ＢＷ閾値の集合は、｛１，９，１６，２５，３６，４９，６４，８１，１００，１２１，１４４，１６９，１９６，２２５，２７６｝のうちの少なくとも１つを含むことができる。別の例として、一実施形態では、候補ＢＷ閾値の集合は、｛９，１６，２５，３６，４９，６４，８１，１００，１２１，１４４，１６９，１９６，２２５，２７６｝のうちの少なくとも１つを含むことができる。
【００５４】
いくつかの実施形態では、ＰＴＲＳの周波数密度及び／又はグループパターンに関連する候補ＢＷ閾値の集合は、｛１，２，３，．．．２７６｝の部分集合であり得る。具体的には、いくつかの実施形態では、ＰＴＲＳの周波数密度及び／又はグループパターンに関連する候補ＢＷ閾値の集合は、候補ＢＷ閾値の集合の１つが２の冪であり、候補ＢＷ閾値の集合のもう１つが自然数の２乗であるように決定されることができる。例えば、候補ＢＷ閾値の集合は、｛１，４，８，１６，３２，４９，６４，１２１，１６９，１９６，２２５，２７６｝として決定されることができ、これは、表４からのいくつかの値及び表５からのいくつかの値を含む。
【００５５】
いくつかの実施形態では、端末デバイス１２０に設定された帯域幅の最大値（すなわち、利用可能なＲＢの最大数）は、サブキャリア間隔の値、帯域幅部分の帯域幅、キャリアの帯域幅、コンポーネントキャリアの帯域幅、及び周波数範囲のうちの少なくとも１つに基づいて決定されてもよい。いくつかの実施形態では、帯域幅の異なる値、利用可能なＲＢの最大数の異なる値、サブキャリア間隔の異なる値、帯域幅部分の設定された帯域幅の異なる値、キャリアの設定された帯域幅の異なる値、コンポーネントキャリアの異なる値、及び／又は異なる周波数範囲では、候補ＢＷ閾値の集合は異なっていてもよい。例えば、上記した異なる場合には、候補ＢＷ閾値の集合における少なくとも１つの値及び／又は候補ＢＷ閾値の集合における値の数は異なっていてもよい。
【００５６】
いくつかの実施形態では、ＰＴＲＳの時間密度について、表１のｐｔｒｓ−ＭＣＳ１〜ｐｔｒｓ−ＭＣＳ４のうちの少なくとも１つは、ネットワークデバイス１１０によって設定されなくてもよい。例えば、いくつかの実施形態では、ネットワークデバイス１１０によって設定されないｐｔｒｓ−ＭＣＳ１〜ｐｔｒｓ−ＭＣＳ４のうちの少なくとも１つは、いくつかの所定の値に固定されることができる。一実施形態では、表１のｐｔｒｓ−ＭＣＳ４は、ネットワークデバイス１１０によって設定されず、所定の値に固定されることができる。例えば、表１においてｐｔｒｓ−ＭＣＳ４の記載がなくてもよい。例えば、ＣＰ−ＯＦＤＭシステムにおける初期伝送において、上位層パラメータＭＣＳ−Ｔａｂｌｅ−ＰＤＳＣＨが「２５６ＱＡＭ」に設定されていない場合、スケジュールされたＭＣＳの値範囲が最小値０と最大値２８の間にあることを示すＭＣＳに関する第１の表（ＭＣＳ表１（ＭＣＳ−Ｔａｂｌｅ−１）とも称する）を使用することが合意されている。上位層パラメータＭＣＳ−Ｔａｂｌｅ−ＰＤＳＣＨが「２５６ＱＡＭ」に設定されている場合、（ＣＰ−ＯＦＤＭの時間密度のための）スケジュールされたＭＣＳ閾値の値範囲が最小値０と最大値２７の間にあることを示すＭＣＳに関する第２の表（ＭＣＳ表２（ＭＣＳ−Ｔａｂｌｅ−２）とも称する）を使用することができる。例えば、ｐｔｒｓ−ＭＣＳ４は、ＤＬ及びＵＬの両方において、ＣＰ−ＯＦＤＭのＮＲでＭＣＳ表１に関して２９に固定されていてもよい。別の例では、ｐｔｒｓ−ＭＣＳ４は、ＤＬ及びＵＬの両方において、ＣＰ−ＯＦＤＭのＮＲでＭＣＳ表２に関して２８に固定されてもよい。いくつかの実施形態では、ＰＴＲＳの時間密度では、候補ＭＣＳ閾値の集合は、ネットワークデバイス１１０によって設定される必要があるＭＣＳ閾値だけのために決定され得る。
【００５７】
いくつかの実施形態では、ＰＴＲＳの時間密度について、ＰＴＲＳの時間密度に関連する候補ＭＣＳ閾値の集合は、候補ＭＣＳ閾値の集合の各々が所定の範囲内にあるように決定されることができる。いくつかの実施形態では、（ＣＰ−ＯＦＤＭの時間密度のための）スケジュールされたＭＣＳの値範囲が最小値０と最大値２８との間にある場合、最大ＭＣＳ閾値はスケジュールされたＭＣＳよりも大きいはずであるので、ＭＣＳ閾値のすべての可能な値は、０と２９との間のすべての値を含むことができる。つまり、ＭＣＳ閾値のすべての可能な値は｛０，１，２，…  ２９｝として表されることができる。代替的に、他の実施形態では、（ＣＰ−ＯＦＤＭの時間密度のための）スケジュールされたＭＣＳの値範囲が最小値０と最大値２７との間にある場合、最大ＭＣＳ閾値はスケジュールされたＭＣＳよりも大きいはずであるので、ＭＣＳ閾値のすべての可能な値は、０と２８との間のすべての値を含むことができる。つまり、ＭＣＳ閾値のすべての可能な値は、｛０，１，２，…  ２８｝として表されることができる。
【００５８】
いくつかの実施形態では、指示されるＭＣＳ閾値の可能な数を減少させるために、ＰＴＲＳの時間密度に関連する候補ＭＣＳ閾値の集合は、ＭＣＳ閾値のすべての可能な値の部分集合であり得る。具体的には、いくつかの実施形態では、ＰＴＲＳの時間密度に関連する候補ＭＣＳ閾値の集合は、予め定められた変調次数に基づいて決定され得る。いくつかの実施形態では、例えば、ＱＰＳＫが設定されている場合、ＰＴＲＳの時間密度に関連する候補ＭＣＳ閾値の集合は、ＭＣＳ−Ｔａｂｌｅ−１について｛０，１，２，．．．９｝、又はＭＣＳ−Ｔａｂｌｅ−２について｛０，１，２，３，４｝であると決定されることができる。いくつかの実施形態では、例えば、１６ＱＡＭが設定されている場合、ＰＴＲＳの時間密度に関連する候補の集合は、ＭＣＳ−Ｔａｂｌｅ−１について｛１０，１１，１２，．．．１６｝、又はＭＣＳ−Ｔａｂｌｅ−２について｛５，６，７，８，９，１０｝であると決定されることができる。いくつかの実施形態では、例えば、６４ＱＡＭが設定されている場合、ＰＴＲＳの時間密度に関連する候補の集合は、ＭＣＳ−Ｔａｂｌｅ−１について｛１７，１８，１９，．．．２８｝、又はＭＣＳ−Ｔａｂｌｅ−２について｛１１，１２，１３，．．．１９｝であると決定され得る。いくつかの実施形態では、例えば、ＰＴＲＳの時間密度に関連する候補の集合は、ＭＣＳ−Ｔａｂｌｅ−２について｛２０，２１，２２，．．．２７｝であると決定されることができる。
【００５９】
いくつかの実施形態では、指示されるＭＣＳ閾値の可能な数をさらに減少するために、予め定められた変調次数に基づくステップサイズを適用して、ＰＴＲＳの時間密度に関連する候補ＭＣＳ閾値の集合をさらに減少させることができる。ステップサイズが大きいほど、ＰＴＲＳの時間密度に関連する候補ＭＣＳ閾値の集合から除外される値が多くなる。例えば、いくつかの実施形態では、ＱＰＳＫが設定されている場合には第１のステップサイズを適用し、１６ＱＡＭが設定されている場合には第２のステップサイズを適用し、６４ＱＡＭが設定されている場合には第３のステップサイズを適用することができる。例えば、第１のステップサイズは、第２のステップサイズよりも大きく、及び／又は、第２のステップサイズは、第３のステップサイズよりも大きい。一実施形態では、例えば、第１のステップサイズは、４であってもよい。例えば、ＭＣＳ−Ｔａｂｌｅ−１では、ＱＰＳＫのための候補ＭＣＳ閾値の集合は、｛０，１，２，．．．９｝から｛０，４，５，９｝、又は、｛０，４，９｝或いは｛０，５，９｝へとさらに減少させることができる。例えば、ＭＣＳ−Ｔａｂｌｅ−２では、ＱＰＳＫのための候補ＭＣＳ閾値の集合は、｛０，１，２，３，４｝から｛０，２，４｝、又は、｛０，４｝へとさらに減少させることができる。一実施形態では、例えば、第２のステップサイズは３であってもよい。例えば、ＭＣＳ−Ｔａｂｌｅ−１では、１６ＱＡＭのための候補ＭＣＳ閾値の集合は、｛１０，１１，１２，．．．１６｝から｛１０，１３，１６｝、又は、｛１０，１６｝へとさらに減少させることができる。例えば、ＭＣＳ−Ｔａｂｌｅ−２では、１６ＱＡＭのための候補ＭＣＳ閾値の集合は、｛５，６，７，８，９，１０｝から｛５，８，１０｝、又は、｛５，７，１０｝へとさらに減少させることができる。別の実施形態では、例えば、第３のステップサイズは、２であってもよい。例えば、ＭＣＳ−Ｔａｂｌｅ−１では、６４ＱＡＭのための候補ＭＣＳ閾値の集合は、｛１７，１８，１９，．．．２８｝から｛１７，１９，２１，２３，２５，２７｝、又は、｛１８，２０，２２，２４，２６，２８｝へとさらに減少させることができる。例えば、ＭＣＳ−Ｔａｂｌｅ−２では、６４ＱＡＭのための候補ＭＣＳ閾値の集合は、｛１１，１２，１３，．．．１９｝から｛１１，１３，１５，１７，１９｝、又は、｛１２，１４，１６，１８｝へとさらに減少させることができる。例えば、ＭＣＳ−Ｔａｂｌｅ−２では、２５６ＱＡＭのための候補ＭＣＳ閾値の集合は、｛２０，２１，２２，．．．２７｝から｛２０，２２，２４，２６｝、又は、｛２１，２３，２５，２７｝へとさらに減少させることができる。
【００６０】
動作３２０において、候補閾値の集合を決定すると、ネットワークデバイス１１０は、そこから少なくとも１つの候補閾値の部分集合を選択する。
【００６１】
いくつかの実施形態では、ＰＴＲＳの時間密度、周波数密度及び／又はグループパターンに関連する異なる閾値について、異なる候補閾値の部分集合をそれぞれ候補閾値の集合から選択することができる。いくつかの実施形態では、候補閾値の部分集合は、互いに部分的に重複していてもよい。他の実施形態では、候補閾値の部分集合は、全く重複していないことが可能である。いくつかの実施形態では、候補閾値の部分集合ごとのサイズは、同じであってもよいし、異なっていてもよい。いくつかの実施形態では、候補閾値の部分集合内の選択された値は、連続していてもよいし、連続していなくてもよい。いくつかの実施形態では、いくつかの値は、少なくとも２つの候補閾値の部分集合に含まれてもよい。具体的には、例えば、いくつかの値がすべての候補閾値の部分集合に含まれてもよい。例えば、候補閾値の可能な最小値及び／又は候補閾値の可能な最大値は、少なくともの２つの候補閾値の部分集合に含まれてもよいし、すべての候補閾値の部分集合に含まれてもよい。本開示の実施形態にかかるより詳細な例を以下に示す。
【００６２】
いくつかの実施形態では、ＰＴＲＳの周波数密度について、表２に示す２つのＢＷ閾値ＮＲＢ０及びＮＲＢ１を端末デバイス１２０に設定する必要がある。したがって、２つのＢＷ閾値に対して、それぞれ、２つの候補閾値の部分集合を選択することができる。
【００６３】
例えば、図４は、そのような実施形態の一例を示す。図４に示すように、動作３１０で決定された候補閾値の集合４００は、｛Ｓ１，Ｓ２，Ｓ３，．．．Ｓｋ｝として表されることができ、ここで、ｋは整数であり、１≦ｋ≦２７６であり、１≦Ｓｋ≦２７６である。部分集合４１０は、ＢＷ閾値ＮＲＢ０に対する集合４００から選択され、別の部分集合４２０は、ＢＷ閾値ＮＲＢ１に対する集合４００から選択され得る。
【００６４】
いくつかの実施形態では、例えば、部分集合４１０は｛ＳＸ＿１，ＳＸ＿２，．．．ＳＸ＿Ｍ｝であってもよく、部分集合４２０は｛ＳＹ＿１，ＳＹ＿２，．．．ＳＹ＿Ｎ｝であってもよく、ここで、Ｍ及びＮは、それぞれ、部分集合４１０及び４２０内の値の数である。さらに、Ｘ＿ｉ（ここで、１≦ｉ≦Ｍ）は、集合｛Ｓ１，Ｓ２，Ｓ３，．．．Ｓｋ｝から選択されてもよく、Ｙ＿ｊ（ここで、１≦ｊ≦Ｎ）は、集合｛Ｓ１，Ｓ２，Ｓ３，．．．Ｓｋ｝から選択されてもよい。別の例として、部分集合４１０は、｛Ｓ１，ＳＸ＿１，ＳＸ＿２，．．．ＳＸ＿Ｍ｝であってもよく、ここで、部分集合４１０内の値の数は、Ｍ＋１であってもよい。また、部分集合４２０は、｛Ｓ１，ＳＹ＿１，ＳＹ＿２，．．．ＳＹ＿Ｎ｝であってもよく、ここで、部分集合４２０内の値の数は、Ｎ＋１であってもよい。さらに、Ｘ＿ｉ（ここで、１≦ｉ≦Ｍ）は、集合｛Ｓ２，Ｓ３，．．．Ｓｋ｝から選択されてもよく、Ｙ＿ｊ（ここで、１≦ｊ≦Ｎ）は、集合｛Ｓ２，Ｓ３，．．．Ｓｋ｝から選択されてもよい。別の例として、部分集合４１０は、｛ＳＸ＿１，ＳＸ＿２，．．．ＳＸ＿Ｍ，Ｓｋ｝であってもよく、ここで、部分集合４１０内の値の数は、Ｍ＋１であってもよい。また、部分集合４２０は、｛ＳＹ＿１，ＳＹ＿２，．．．ＳＹ＿Ｎ，Ｓｋ｝であってもよく、ここで、部分集合４２０内の値の数は、Ｎ＋１であってもよい。さらに、Ｘ＿ｉ（ここで、１≦ｉ≦Ｍ）は、集合｛Ｓ１，Ｓ２，Ｓ３，．．．Ｓｋ−１｝から選択されてもよく、Ｙ＿ｊ（ここで、１≦ｊ≦Ｎ）は、集合｛Ｓ１，Ｓ２，Ｓ３，．．．Ｓｋ−１｝から選択されてもよい。別の例として、部分集合４１０は、｛Ｓ１，ＳＸ＿１，ＳＸ＿２，．．．ＳＸ＿Ｍ，Ｓｋ｝であってもよく、ここで、部分集合４１０内の値の数は、Ｍ＋２であってもよい。また、部分集合４２０は、｛Ｓ１，ＳＹ＿１，ＳＹ＿２，．．．ＳＹ＿Ｎ，Ｓｋ｝であってもよく、ここで、部分集合４２０内の値の数は、Ｎ＋２であってもよい。また、Ｘ＿ｉ（ここで、１≦ｉ≦Ｍ）は、集合｛Ｓ２，Ｓ３，．．．Ｓｋ−１｝から選択されてもよく、Ｙ＿ｊ（ここで、１≦ｊ≦Ｎ）は、集合｛Ｓ２，Ｓ３，．．．Ｓｋ−１｝から選択されてもよい。
【００６５】
いくつかの実施形態では、例えば、部分集合４１０は｛Ｓ１，Ｓ２，．．．Ｓｘ｝であってもよく、部分集合４２０は｛ＳＹ，ＳＹ＋１，．．．ＳＫ｝であってもよく、ここで、Ｘ及びＹはいずれも整数であり、１≦Ｘ≦Ｋ、１≦Ｙ≦Ｋである。いくつかの実施形態では、部分集合４１０及び４２０は、図４に示すように、互いに重複していてもよい。この場合、例えば、Ｘ≧Ｙである。他の実施形態では、部分集合４１０及び４２０は、互いに重複していなくてもよい。この場合、例えば、Ｘ＜Ｙである。いくつかの実施形態では、図４に示すように、部分集合４１０又は４２０は、集合４００から連続的に選択されてもよい。他の実施形態では、部分集合４１０又は４２０は、集合４００から連続的に選択されなくてもよい。
【００６６】
いくつかの実施形態では、異なるＢＷ閾値ごとにそれぞれの部分集合を選択する際に、いくつかの付加的な要素が考慮され得る。
【００６７】
例えば、いくつかの実施形態では、表２に示す１／４の周波数密度が無効化されている場合、ＢＷ閾値ＮＲＢ１は、ＳＫに固定されることができる。すなわち、ＢＷ閾値ＮＲＢ１に対する部分集合を選択する必要がない。さらに、ＢＷ閾値ＮＲＢ１を端末デバイスに示す必要がない。いくつかの実施形態では、表２に示す１／２の周波数密度が無効化されている場合、ＢＷ閾値ＮＲＢ１は、ＢＷ閾値ＮＲＢ０と等しいとすることができる。すなわち、ＢＷ閾値ＮＲＢ０に対する部分集合は、ＢＷ閾値ＮＲＢ１に対する部分集合と同じであり得る。
【００６８】
いくつかの実施形態では、ＰＴＲＳ伝送がＲＲＣシグナリングを介して有効化されている場合、ＢＷ閾値ＮＲＢ０は、必ずＳｋよりも小さい。したがって、Ｓｋは、ＢＷ閾値ＮＲＢ０に対する部分集合から除外され得る。ＰＴＲＳ伝送がＲＲＣシグナリングを介して無効化されている場合、ＢＷ閾値ＮＲＢ０及びＮＲＢ１を示す必要は全くないことが理解されたい。
【００６９】
表２に示すように、スケジュールされたＢＷに関してＮＲＢ＜ＮＲＢ０となる場合、ＰＴＲＳは存在しない。いくつかの実施形態では、比較的小さいスケジュールされたＢＷの場合、ＰＴＲＳを設定する必要がない。すなわち、ＢＷ閾値ＮＲＢ０は、所定の閾値Ｍよりも小さくないことが好ましい。例えば、Ｍは、ＤＬ  ＰＴＲＳでは、少なくとも３に等しい。いくつかの実施形態では、ＵＬ  ＰＴＲＳは常に存在してもよい。この場合、ＢＷ閾値ＮＲＢ０は１に固定されることができる。すなわち、ＢＷ閾値ＮＲＢ０に対する部分集合を選択する必要がない。さらに、この場合、ＢＷ閾値ＮＲＢ０を端末デバイス１２０に示す必要がない。
【００７０】
いくつかの実施形態では、ＰＴＲＳの時間密度について、表１に示す複数のＭＣＳ閾値ｐｔｒｓ−ＭＣＳ１〜ｐｔｒｓ−ＭＣＳ３を端末デバイス１２０に設定する必要がある。したがって、複数のＭＣＳ閾値に対して、それぞれ、候補閾値のそれぞれの部分集合を選択することができる。
【００７１】
例えば、図５は、そのような実施形態の一例を示す。図５において、例えば、ＭＣＳ閾値の可能なすべての値が｛０，１，２，．．．２９｝を含み、ＭＣＳ閾値ｐｔｒｓ−ＭＣＳ４が２９に固定されていると仮定する。動作３１０で決定された候補閾値の集合５００は、｛Ｓ０，Ｓ１，Ｓ２，．．．Ｓｋ｝として表されることができ、ここで、Ｋは整数であり、０≦Ｋ≦２９、０≦Ｓｋ≦２９である。図５に示すように、ＭＣＳ閾値ｐｔｒｓ−ＭＣＳ１については集合５００から部分集合５１０を選択し、ＭＣＳ閾値ｐｔｒｓ−ＭＣＳ２については集合５００から部分集合５２０を選択し、ＭＣＳ閾値ｐｔｒｓ−ＭＣＳ３については集合５００から部分集合５３０を選択することができる。例えば、部分集合５１０は｛Ｓ１，Ｓ２，．．．ＳＡ｝であってもよく、部分集合５２０は｛ＳＢ，ＳＢ＋１，．．．ＳＣ｝であってもよく、部分集合５３０は｛ＳＤ，ＳＤ＋１，．．．ＳＫ｝であってもよく、ここで、Ａ〜Ｄはすべて整数であり、それぞれの値は０〜２９の間にある。いくつかの実施形態では、図５に示すように、部分集合５１０〜５３０は、互いに重複していてもよい。この場合、例えば、Ｂ＜Ａ＜Ｄ＜Ｃである。他の実施形態では、部分集合５１０〜５３０は、互いに重複していなくてもよい。この場合、例えば、Ａ＜Ｂ＜Ｃ＜Ｄである。いくつかの実施形態では、部分集合５１０〜５３０のいずれかは、図５に示すように、集合５００から連続的に選択されることができる。他の実施形態では、部分集合５１０〜５３０のうちの少なくとも１つは、集合５００から連続的に選択されなくてもよい。
【００７２】
いくつかの実施形態では、ＭＣＳ閾値ごとに部分集合を選択する際に、いくつかの付加的な要素が考慮され得る。
【００７３】
例えば、いくつかの実施形態では、表１に示す１／４の時間密度が無効化されている場合、ＭＣＳ閾値ｐｔｒｓ−ＭＣＳ１は、ＭＣＳ閾値ｐｔｒｓ−ＭＣＳ２と等しくなり得る。すなわち、ＭＣＳ閾値ｐｔｒｓ−ＭＣＳ１に対する部分集合は、ＭＣＳ閾値ｐｔｒｓ−ＭＣＳ２に対する部分集合と同じであり得る。いくつかの実施形態では、表１に示す１／２の時間密度が無効化されている場合、ＭＣＳ閾値ｐｔｒｓ−ＭＣＳ２は、ＭＣＳ閾値ｐｔｒｓ−ＭＣＳ３と等しくなり得る。すなわち、ＭＣＳ閾値ｐｔｒｓ−ＭＣＳ２に対する部分集合は、ＭＣＳ閾値ｐｔｒｓ−ＭＣＳ３に対する部分集合と同じであり得る。いくつかの実施形態では、表１に示す１の時間密度が無効化されている場合、ＭＣＳ閾値ｐｔｒｓ−ＭＣＳ３は、ＭＣＳ閾値ｐｔｒｓ−ＭＣＳ４と等しくなり得る。すなわち、ＭＣＳ閾値ｐｔｒｓ−ＭＣＳ３に対する部分集合は、ＭＣＳ閾値ｐｔｒｓ−ＭＣＳ４に対する部分集合と同じであり得る。
【００７４】
いくつかの実施形態では、ＰＴＲＳ伝送がＲＲＣシグナリングを介して有効化されている場合、ＭＣＳ閾値ｐｔｒｓ−ＭＣＳ１は、必ずＳｋよりも小さい（例えば、Ｓｋは、２９又は２８であってもよい）。したがって、Ｓｋは、ＢＷ閾値ｐｔｒｓ−ＭＣＳ１に対する部分集合から除外され得る。ＰＴＲＳ伝送がＲＲＣシグナリングを介して無効化されている場合、ＭＣＳ閾値ｐｔｒｓ−ＭＣＳ１〜ｐｔｒｓ−ＭＣＳ４を示す必要は全くないことが理解されたい。
【００７５】
表１に示すように、スケジュールされたＭＣＳが閾値ｐｔｒｓ−ＭＣＳ１よりも小さい場合、ＰＴＲＳは存在しない。いくつかの実施形態では、スケジュールされたＭＣＳが比較的小さい場合、ＰＴＲＳを設定する必要がない。すなわち、ＭＣＳ閾値ｐｔｒｓ−ＭＣＳ１は、所定の閾値Ｎよりも小さくないことが好ましい。いくつかの実施形態では、ＭＣＳ閾値のすべての可能な値が｛０，１，２，．．．２９｝を含む場合、Ｎは１０に等しくてもよい。この場合、ＭＣＳ閾値ｐｔｒｓ−ＭＣＳ１〜ｐｔｒｓ−ＭＣＳ４に対する各部分集合は、０〜９の間のいずれの値を含むべきではない。代替的に、いくつかの実施形態では、ＭＣＳ閾値のすべての可能な値が｛０，１，２，．．．２８｝を含む場合、Ｎは５に等しくてもよい。この場合、ＭＣＳ閾値ｐｔｒｓ−ＭＣＳ１〜ｐｔｒｓ−ＭＣＳ４に対する各部分集合は、０〜４の間のいずれの値を含むべきではない。
【００７６】
いくつかの実施形態では、ＵＬ  ＰＴＲＳは常に存在してもよい。この場合、ＭＣＳ閾値ｐｔｒｓ−ＭＣＳ１は０に固定されることができる。すなわち、ＭＣＳ閾値ｐｔｒｓ−ＭＣＳ１に対する部分集合を選択する必要がない。また、この場合、ＭＣＳ閾値ｐｔｒｓ−ＭＣＳ１を端末デバイス１２０に示さなくてもよい。
【００７７】
動作３３０において、ネットワークデバイス１１０は、少なくとも１つの候補閾値の部分集合から、端末デバイス１２０がＰＴＲＳの密度を決定するために使用される少なくとも１つの閾値を選択する。次いで、動作３４０において、ネットワークデバイス１１０は、少なくとも１つの閾値の指示を端末デバイス１２０に伝送する。
【００７８】
いくつかの実施形態では、閾値ＮＲＢ０、ＮＲＢ１及びｐｔｒｓ−ＭＣＳ１〜ｐｔｒｓ−ＭＣＳ４のうちの任意の１つについて、この閾値を示すビット数は、この閾値に対する候補閾値のそれぞれの部分集合内の候補閾値の数に基づいて決定され得る。例えば、この閾値に対する候補閾値のそれぞれの部分集合内の候補閾値の数がｐ（ここで、ｐは整数であり、ｐ＞０である）である場合、この閾値を示すためのビット数は、ｑ＝ｃｅｉｌ（ｌｏｇ２ｐ）と決定されることができる。いくつかの実施形態では、ネットワークデバイス１１０は、決定されたビット数でこの閾値の指示を伝送することができる。例えば、いくつかの実施形態では、ＲＲＣシグナリングのｑビットは、この閾値を示すために使用されることができる。
【００７９】
上述したように、ＰＴＲＳの周波数密度については、設定される２つのＢＷ閾値ＮＲＢ０及びＮＲＢ１がある。いくつかの実施形態では、これら２つのＢＷ閾値ＮＲＢ０及びＮＲＢ１を示すためのシグナリングオーバーヘッドをさらに低減するために、これら２つのＢＷ閾値ＮＲＢ０及びＮＲＢ１を示すためのビット数を、ＢＷ閾値ＮＲＢ０及びＮＲＢ１の候補の組み合わせの数に基づいて決定することができる。説明の目的のみで、ＢＷ閾値ＮＲＢ０、ＮＲＢ１の両方が｛ｎ１，ｎ２，ｎ３，．．．ｎＱ｝から選択されることができ、ここで、Ｑは整数であり、１≦Ｑ≦２７６、１≦ｎＱ−１＜ｎＱ≦２７６であると仮定する。ＢＷ閾値ＮＲＢ１はＢＷ閾値ＮＲＢ０よりも小さいべきではないので、ＢＷ閾値ＮＲＢ０がｎ１に等しい場合、ＢＷ閾値ＮＲＢ１を｛ｎ１，ｎ２，ｎ３，．．．ｎＱ｝から選択することができる。ＢＷ閾値ＮＲＢ０がｎ２に等しい場合、ＢＷ閾値ＮＲＢ１を｛ｎ２，ｎ３，ｎ４，．．．ｎＱ｝からのみ選択することができる。ＢＷ閾値ＮＲＢ０がｎ３に等しい場合、ＢＷ閾値ＮＲＢ１を｛ｎ３，ｎ４，ｎ５，．．．ｎＱ｝からのみ選択することができる。同様に、ＢＷ閾値ＮＲＢ０がｎＱに等しい場合、ＢＷ閾値ＮＲＢ１は必ずｎＱである。このように、ＢＷ閾値ＮＲＢ０とＮＲＢ１の候補の組み合わせの合計数は、Ｑ＋（Ｑ−１）＋（Ｑ−２）＋．．．＋１＝Ｑ（Ｑ＋１）／２として決定されてもよい。すなわち、これら２つのＢＷ閾値ＮＲＢ０、ＮＲＢ１を示すためのビット数は、ｃｅｉｌ（ｌｏｇ２（Ｑ（Ｑ＋１）／２））として決定されることができる。これによって、従来のソリューションにおけるこれら２つのＢＷ閾値ＮＲＢ０、ＮＲＢ１を示すことに必要なビット数よりも大幅に減少した（従来のソリューションにおいて、これら２つのＢＷ閾値ＮＲＢ０、ＮＲＢ１を示すためのビット数は、２ｃｅｉｌ（ｌｏｇ２Ｑ）であり得ることは明らかであり、これは、ｃｅｉｌ（ｌｏｇ２（Ｑ（Ｑ＋１）／２））よりもはるかに大きい）。表１のＭＣＳ閾値ｐｔｒｓ−ＭＣＳ１〜ｐｔｒｓ−ＭＣＳ３を示すためのシグナリングオーバーヘッド、及び／又は表３のＢＷ閾値ＮＲＢ０〜ＮＲＢ４を示すためのシグナリングオーバーヘッドは、上述と同様の方法でさらに低減され得ることが理解されたい。
【００８０】
いくつかの実施形態では、ＰＴＲＳの周波数密度及び／又はグループパターンについて、いくつかのＢＷ閾値（例えば、ＮＲＢ＿０、ＮＲＢ＿１、．．．ＮＲＢ＿Ｌ、ここで、Ｌは整数であり、ＢＷ閾値の数はＬ＋１である）を端末デバイス１２０に設定する必要がある。これらのＢＷ閾値のうちの１つの可能な値は、候補閾値の集合から選択されることができる。他の閾値のそれぞれの値は、閾値の１つに対するそれぞれのオフセット値に基づいて設定されてもよい。
【００８１】
一実施形態では、ＢＷ閾値ＮＲＢ＿０の可能な値は、｛Ｔ０，Ｔ１，Ｔ２，．．．ＴＭ｝を含んでもよく、ここでＭは整数であり、ＮＲＢ＿０の可能な値の数はＭ＋１である。値｛Ｔ０，Ｔ１，Ｔ２，．．．ＴＭ｝の一部又は全部が、候補閾値の集合｛Ｓ０，Ｓ１，Ｓ２，．．．Ｓｋ｝から選択されてもよい。ＢＷ閾値ＮＲＢ＿ｐ（２≦ｐ≦Ｌ）の値は、オフセット値｛Δｐ＿０，Δｐ＿１，Δｐ＿２，．．．Δｐ＿Ｎ｝のうちの１つに基づいて設定されてもよく、ここで、Δｐ＿ｊ（０≦ｊ≦Ｎ）はＢＷ閾値ＮＲＢ＿０に対するオフセット値を表し、ｐ＿Ｎは整数であり、ＮＲＢ＿ｐに対する可能なオフセット値の数はｐ＿Ｎ＋１である。ＢＷ閾値によって、ｐ＿Ｎの値は異なっていてもよい。例えば、ＢＷ閾値ＮＲＢ＿ｐの値は、Ｔｉ＋Δｐ＿ｊと決定されてもよく、ここで、ｉ及びｊはいずれも整数であり、０≦ｉ≦Ｍ、０≦ｊ≦Ｎである。
【００８２】
別の実施形態では、ＢＷ閾値ＮＲＢ＿０の可能な値は、｛Ｔ０，Ｔ１，Ｔ２，．．．ＴＭ｝を含んでもよく、ここで、Ｍは整数であり、ＮＲＢ＿０の可能な値の数はＭ＋１である。集合｛Ｔ０，Ｔ１，Ｔ２，．．．ＴＭ｝の一部又は全部が、候補閾値の集合｛Ｓ０，Ｓ１，Ｓ２，．．．Ｓｋ｝から選択されてもよい。ＢＷ閾値ＮＲＢ＿ｐ（２≦ｐ≦Ｌ）の値は、｛Δｐ＿０，Δｐ＿１，Δｐ＿２，．．．Δｐ＿Ｎ｝のうちの１つに基づいて設定されてもよく、ここで、Δｐ＿ｊ（０≦ｊ≦Ｎ）は、前回のＢＷ閾値ＮＲＢ＿ｐ−１に対するオフセット値を表し、ｐ＿Ｎは整数であり、ＮＲＢ＿ｐに対するオフセット値の可能な数はｐ＿Ｎ＋１である。例えば、ＢＷ閾値ＮＲＢ＿ｐの値は、ＮＲＢ＿ｐ−１＋Δｐ＿ｊと決定されてもよく、ここで、ｊは整数であり、０≦ｊ≦Ｎである。
【００８３】
いくつかの実施形態では、異なるＢＷ閾値に対するそれぞれのオフセット値は、互いに同じであってもよいし、異なっていてもよい。代替的又は追加的に、異なるＢＷ閾値に対して、可能なオフセット値のそれぞれの数は、互いに同じであってもよいし、異なっていてもよい。いくつかの実施形態では、オフセット値の集合｛Δｐ＿０，Δｐ＿１，Δｐ＿２，．．．Δｐ＿Ｎ｝の各々は、整数であり、０以下ではない。
【００８４】
いくつかの実施形態では、ＰＴＲＳの時間密度について、複数のＭＣＳ閾値（例えば、ｐｔｒｓ−ＭＣＳ０、ｐｔｒｓ−ＭＣＳ１、．．．ｐｔｒｓ−ＭＣＳＬ、ここで、Ｌは整数であり、ＭＣＳ閾値の数はＬ＋１である）を端末デバイス１２０に設定する必要がある。これらの閾値のうちの１つの可能な値は、候補閾値の集合から選択されることができる。他の閾値のそれぞれの値は、閾値のうちの１つに対するそれぞれのオフセット値に基づいて設定されてもよい。
【００８５】
一実施形態では、ＭＣＳ閾値ｐｔｒｓ−ＭＣＳ０の可能な値は、｛Ｔ０，Ｔ１，Ｔ２，．．．ＴＭ｝を含んでもよく、ここで、Ｍは整数であり、ｐｔｒｓ−ＭＣＳ０の可能な値の数はＭ＋１である。値｛Ｔ０，Ｔ１，Ｔ２，．．．ＴＭ｝の一部又は全部は、候補閾値の集合｛Ｓ０，Ｓ１，Ｓ２，．．．Ｓｋ｝から選択されてもよい。ＭＣＳ閾値ｐｔｒｓ−ＭＣＳｐ（２≦ｐ≦Ｌ）の値は、オフセット値｛Δｐ＿０，Δｐ＿１，Δｐ＿２，．．．Δｐ＿Ｎ｝のうちの１つに基づいて設定されてもよく、ここで、Δｐ＿ｊ（０≦ｊ≦Ｎ）はＭＣＳ閾値ｐｔｒｓ−ＭＣＳ０に対するオフセット値を表し、ｐ＿Ｎは整数であり、ｐｔｒｓ−ＭＣＳｐの可能なオフセット値の数はｐ＿Ｎ＋１である。ＭＣＳ閾値によって、ｐ＿Ｎのそれぞれの値は異なってもよい。例えば、ＭＣＳ閾値ｐｔｒｓ−ＭＣＳｐの値は、Ｔｉ＋Δｐ＿ｊであり、ここで、ｉとｊはいずれも整数であり、０≦ｉ≦Ｍ，０≦ｊ≦Ｎである。
【００８６】
別の実施形態では、ＭＣＳ閾値ｐｔｒｓ−ＭＣＳ０の可能な値は、｛Ｔ０，Ｔ１，Ｔ２，．．．ＴＭ｝を含んでもよく、ここで、Ｍは整数であり、ｐｔｒｓ−ＭＣＳ０の可能な値の数は、Ｍ＋１である。値｛Ｔ０，Ｔ１，Ｔ２，．．．ＴＭ｝の一部又は全部は、候補閾値の集合｛Ｓ０，Ｓ１，Ｓ２，．．．Ｓｋ｝から選択されてもよい。ＭＣＳ閾値ｐｔｒｓ−ＭＣＳｐ（２≦ｐ≦Ｌ）の値は、オフセット値｛Δｐ＿０，Δｐ＿１，Δｐ＿２，．．．Δｐ＿Ｎ｝のうちの１つに基づいて設定されてもよく、ここで、Δｐ＿ｊ（０≦ｊ≦Ｎ）は、前回のＭＣＳ閾値ｐｔｒｓ−ＭＣＳｐ−１に対するオフセット値を表し、ｐ＿Ｎは整数であり、ｐｔｒｓ−ＭＣＳｐの可能なオフセット値の数はｐ＿Ｎ＋１である。例えば、ＭＣＳ閾値ｐｔｒｓ−ＭＣＳｐの値は、ｐｔｒｓ−ＭＣＳｐ−１＋Δｐ＿ｊであってもよく、ここで、ｊは整数であり、０≦ｊ≦Ｎである。
【００８７】
いくつかの実施形態では、異なるＭＣＳ閾値に対するそれぞれのオフセット値は、互いに同じであってもよいし、異なっていてもよい。代替的又は追加的に、異なるＭＣＳ閾値に対して、可能なオフセット値のそれぞれの数は、互いに同じであってもよいし、異なっていてもよい。いくつかの実施形態では、オフセット値の集合｛Δｐ＿０，Δｐ＿１，Δｐ＿２，．．．Δｐ＿Ｎ｝の各々は、整数であり、０以下ではない。
【００８８】
いくつかの実施形態では、ＰＴＲＳの周波数密度について、表２に示す２つのＢＷ閾値ＮＲＢ０及びＮＲＢ１を端末デバイス１２０に設定する必要がある。ＢＷ閾値ＮＲＢ０の値の可能な部分集合は、候補閾値の集合、例えば｛Ｔ０，Ｔ１，Ｔ２，．．．ＴＭ｝から選択されてもよく、ここで、Ｍは整数であり、ＢＷ閾値ＮＲＢ０の可能な値の数はＭ＋１である。値｛Ｔ０，Ｔ１，Ｔ２，．．．ＴＭ｝の一部又は全部が、候補閾値の集合｛Ｓ０，Ｓ１，Ｓ２，．．．Ｓｋ｝から選択されてもよい。ＢＷ閾値ＮＲＢ１の可能な値は、ＢＷ閾値ＮＲＢ０に対するオフセット値に基づいて設定されてもよい。例えば、ＢＷ閾値ＮＲＢ１の値は、オフセット値｛Δ０，Δ１，Δ２，．．．ΔＮ｝のうちの１つに基づいて設定されてもよく、ここで、Ｎは整数であり、ＢＷ閾値ＮＲＢ１の可能なオフセット値の数はＮ＋１である。例えば、ＢＷ閾値ＮＲＢ１の値は、Ｔｉ＋Δｊであってもよく、ここで、ｉ及びｊはともに整数であり、０≦ｉ≦Ｍ、０≦ｊ≦Ｎである。いくつかの実施形態では、オフセット値の集合｛Δ０，Δ１，Δ２，．．．ΔＮ｝の各々は、整数であり、０以下ではない。
【００８９】
図６は、本開示のいくつかの実施形態にかかる例示的な方法６００のフローチャートを示す。方法６００は、図１に示す端末デバイス１２０で実施されることができる。検討の目的のために、図１を参照して端末デバイス１２０の観点から方法６００を説明する。
【００９０】
動作６１０において、端末デバイス１２０は、ネットワークデバイスと端末デバイスとの間で伝送される位相追跡参照信号（ＰＴＲＳ）の時間密度、周波数密度、及びグループパターンのうちの少なくとも１つに関連する候補閾値の集合を決定する。
【００９１】
いくつかの実施形態では、ＰＴＲＳは、端末デバイス１２０からネットワークデバイス１１０に伝送されるアップリンクＰＴＲＳ、及びネットワークデバイス１１０から端末デバイス１２０に伝送されるダウンリンクＰＴＲＳのうちの１つである。
【００９２】
いくつかの実施形態では、端末デバイス１２０は、候補閾値の集合の各々が所定の範囲内にあるように、ＰＴＲＳの周波数密度及び／又はグループパターンに関連する候補閾値の集合を決定してもよい。
【００９３】
いくつかの実施形態では、端末デバイス１２０は、候補閾値の集合の少なくとも１つが２の冪であるように、ＰＴＲＳの周波数密度及び／又はグループパターンに関連する候補閾値の集合を決定してもよい。
【００９４】
いくつかの実施形態では、端末デバイス１２０は、候補閾値の集合の少なくとも１つが自然数の２乗であるように、ＰＴＲＳの周波数密度及び／又はグループパターンに関連する候補閾値の集合を決定してもよい。
【００９５】
いくつかの実施形態では、端末デバイス１２０は、所定の変調次数に基づいて、ＰＴＲＳの時間密度に関連する候補閾値の集合を決定してもよい。いくつかの実施形態では、端末デバイス１２０は、所定の変調次数に基づいて、ＰＴＲＳの時間密度に関連する候補閾値の集合内の候補閾値の数を減少させるためのステップサイズを決定してもよい。端末デバイス１２０は、ステップサイズを適用してＰＴＲＳの時間密度に関連する候補閾値の集合内の候補閾値の数を減少させてもよい。
【００９６】
いくつかの実施形態では、端末デバイス１２０は、ネットワークデバイス１１０と同様の方法で候補閾値の集合を決定してもよい（すなわち、端末デバイス１２０によって実行される動作６１０は、ネットワークデバイス１１０によって実行される動作３１０と同様である）。簡略化のため、ここでは、動作６１０に関する詳細は省略する。
【００９７】
動作６２０において、端末デバイス１２０は、候補閾値の集合から、少なくとも１つの候補閾値の部分集合を選択する。
【００９８】
いくつかの実施形態では、端末デバイス１２０は、ネットワークデバイス１１０と同様の方法で、少なくとも１つの候補閾値の部分集合を選択してもよい（すなわち、端末デバイス１２０によって実行される動作６２０は、ネットワークデバイス１１０によって実行される動作３２０と同様である）。簡略化のため、ここで、動作６２０に関する詳細は省略する。
【００９９】
動作６３０において、ＰＴＲＳの密度を決定するために使用される少なくとも１つの閾値の指示をネットワークデバイスから受信したことに応答して、端末デバイス１２０は、指示及び少なくとも１つの候補閾値の部分集合に基づいて、少なくとも１つの閾値を決定する。
【０１００】
いくつかの実施形態では、端末デバイス１２０は、上位層シグナリングを介して、ネットワークデバイスから少なくとも１つの閾値の指示を受信する。
【０１０１】
いくつかの実施形態では、端末デバイス１２０は、少なくとも１つの閾値に基づいてＰＴＲＳの密度を決定し、ＰＴＲＳの密度は、ＰＴＲＳの時間密度及び周波数密度のうちの１つである。
【０１０２】
いくつかの実施形態では、ＰＴＲＳの時間密度、周波数密度、及びグループパターンのうちの少なくとも１つについて異なる閾値を設定するためのシグナリングオーバーヘッドを低減する同じルールは、予めネットワークデバイス１１０及び端末デバイス１２０の両方に設定されていてもよい。ネットワークデバイス１１０は、該ルールに基づいて、ＰＴＲＳの時間密度、周波数密度、及びグループパターンのうちの少なくとも１つについて異なる閾値を端末デバイス１２０に設定してもよい。したがって、端末デバイス１２０は、同じルール及びネットワークデバイス１１０から受信した情報に基づいて、ＰＴＲＳの時間密度、周波数密度及び／又はグループパターンを決定してもよい。このようにして、本開示の実施形態によれば、ＰＴＲＳの時間密度、周波数密度及び／又はグループパターンについて異なる閾値を設定するシグナリングオーバーヘッドを大幅に低減することができる。
【０１０３】
図７は、本開示の実施形態を実施することに適するデバイス７００の簡略的なブロック図である。デバイス７００は、図１に示すネットワークデバイス１１０又は端末デバイス１２０のさらなる例示的な実施手段と見なされることができる。したがって、デバイス７００は、ネットワークデバイス１１０又は端末デバイス１２０で実施されることができ、又は、ネットワークデバイス１１０又は端末デバイス１２０の少なくとも一部として実施されることができる。
【０１０４】
図示のように、デバイス７００は、プロセッサ７１０と、プロセッサ７１０に接続されたメモリ７２０と、プロセッサ７１０に接続された適切な伝送機（ＴＸ）及び受信機（ＲＸ）７４０と、ＴＸ／ＲＸ７４０に接続された通信インターフェースとを含む。メモリ７１０は、プログラム７３０の少なくとも一部を格納する。ＴＸ／ＲＸ７４０は、双方向通信するためのものである。ＴＸ／ＲＸ７４０は、通信を容易にするために少なくとも１つのアンテナを有するが、実際には、本明細書で言及されるアクセスノードは、いくつかがあってもよい。通信インターフェースは、ｅＮＢ間の双方向通信用のＸ２インターフェース、Ｍｏｂｉｌｉｔｙ  ＭａｎａｇｅｍｅｎｔＥｎｔｉｔｙ（ＭＭＥ）／Ｓｅｒｖｉｎｇ  Ｇａｔｅｗａｙ（Ｓ−ＧＷ）とｅＮＢとの間の通信用のＳ１インターフェース、ｅＮＢとリレーノード（ＲＮ：Ｒｅｌａｙ  Ｎｏｄｅ）との間の通信用のＵｎインターフェース、又はｅＮＢと端末デバイスとの間の通信用のＵｕインターフェースなど、他のネットワーク要素との通信に必要な任意のインターフェースを表す。
【０１０５】
プログラム７３０は、関連するプロセッサ７１０によって実行されると、図１から図９を参照して本明細書で検討されるように、デバイス７００に本開示の実施形態に従って動作させることを可能にするプログラム命令を含むと想定される。本開示の実施形態は、デバイス７００のプロセッサ７１０により実行可能なコンピュータソフトウェアにより、又はハードウェアにより、又はソフトウェアとハードウェアの組み合わせにより実施され得る。プロセッサ７１０は、本開示の様々な実施形態を実施するように設定され得る。さらに、プロセッサ７１０とメモリ７１０との組み合わせは、本開示の様々な実施形態を実施することに適した処理手段７５０を形成してもよい。
【０１０６】
メモリ７１０は、ローカル技術ネットワークに適した任意のタイプのものであってもよく、非限定的な例として、非一時的なコンピュータ読み取り可能な記憶媒体、半導体系のメモリデバイス、磁気メモリデバイス及びシステム、光メモリデバイス及びシステム、固定メモリ及びリムーバブルメモリなどの任意の適切なデータストレージ技術を使用して実施されてもよい。デバイス７００には１つのメモリ７１０のみが示されているが、デバイス７００には別個であるいくつかのメモリモジュールがあってもよい。プロセッサ７１０は、ローカル技術ネットワークに適した任意のタイプのものであってもよく、非限定的な例として、汎用コンピュータ、専用コンピュータ、マイクロプロセッサ、デジタル信号プロセッサ（ＤＳＰ：Ｄｉｇｉｔａｌ  Ｓｉｇｎａｌ  Ｐｒｏｃｅｓｓｏｒ）、及び、マルチコアプロセッサアーキテクチャに基づくプロセッサのうちの１つ以上を含んでもよい。デバイス７００は、メインプロセッサを同期させるクロックに時間的に従属する特定用途向け集積回路チップなどの複数のプロセッサを有してもよい。
【０１０７】
一般的に、本開示の様々な実施形態は、ハードウェア又は専用回路、ソフトウェア、ロジック、又はそれらの任意の組み合わせで実施され得る。いくつかの態様はハードウェアで実施され、他の態様はコントローラ、マイクロプロセッサ又は他のコンピューティングデバイスによって実行されるファームウェア又はソフトウェアで実施されてもよい。本開示の実施形態の様々な態様は、ブロック図、フローチャート、又は他の何らかの画像表現を使用して例示及び説明されてもよく、本明細書で説明されるこれらのブロック、装置、システム、技術又は方法は、非限定的な例として、ハードウェア、ソフトウェア、ファームウェア、専用回路又はロジック、汎用ハードウェア又はコントローラ又は他のコンピューティングデバイス、又はそれらの組み合わせに実施されてもよい。
【０１０８】
本開示は、さらに、非一時的なコンピュータ読み取り可能な記憶媒体に有形に格納された少なくとも１つのコンピュータプログラム製品を提供する。コンピュータプログラム製品は、プログラムモジュールに含まれ、対象の実プロセッサ又は仮想プロセッサ上のデバイスで実行される、図１〜９のいずれかを参照して上記で説明したプロセス又は方法を実行するためのコンピュータ実行可能な命令を含む。一般的に、プログラムモジュールは、特定のタスクを実行する、又は特定の抽象データ型を実装するルーチン、プログラム、ライブラリ、オブジェクト、クラス、コンポーネント、データ構造などを含む。プログラムモジュールの機能は、様々な実施形態で所望の通りプログラムモジュール間で組み合わせるか、又は分割することができる。プログラムモジュールのためのマシン実行可能な命令は、ローカルデバイス又は分散型デバイスで実行できる。分散型デバイスでは、プログラムモジュールはローカル及びリモートの記憶媒体の両方に配置できる。
【０１０９】
本開示の方法を実行するためのプログラムコードは、１つ又は複数のプログラミング言語の任意の組み合わせで記述されることができる。これらのプログラムコードは、汎用コンピュータ、専用コンピュータ、又はその他のプログラマブルデータ処理装置のプロセッサ又はコントローラに提供されることによって、プログラムコードがプロセッサ又はコントローラによって実行されると、フローチャート及び／又はブロック図に規定される機能／動作が実現される。プログラムコードは、その全部がマシン上で実行でき、一部がマシン上で実行でき、スタンドアロンソフトウェアパッケージとして、一部がマシン上で実行しかつ一部がリモートマシン上で実行し、又はその全部がリモートマシン又はサーバー上で実行できる。
【０１１０】
上記のプログラムコードは、命令実行システム、装置、又はデバイスによって、又はそれらと関連して使用するためのプログラムを含むか、又は格納する任意の有形媒体であり得るマシン読み取り可能な媒体上で具現化され得る。マシン読み取り可能な媒体は、マシン読み取り可能信号媒体又はマシン読み取り可能記憶媒体であり得る。マシン読み取り可能な媒体は、電子、磁気、光学、電磁気、赤外線、又は半導体システム、装置、又はデバイス、あるいは上記した任意の適切な組み合わせを含むが、これらに限定されない。マシン読み取り可能記憶媒体のより具体的な例には、１つ又は複数のワイヤを備える電気接続、ポータブルコンピュータディスケット、ハードディスク、ランダムアクセスメモリ（ＲＡＭ）、読み取り専用メモリ（ＲＯＭ）、消去可能なプログラマブル読み出し専用メモリ（ＥＰＲＯＭ又はフラッシュメモリ）、光ファイバー、ポータブルコンパクトディスク読み取り専用メモリ（ＣＤ−ＲＯＭ）、光学式ストレージデバイス、磁気ストレージデバイス、又は上記した任意の適切な組み合わせが含まれる。
【０１１１】
さらに、操作は特定の順序で示されているが、これは、望ましい結果を達成するために、そのような操作が示された特定の順序又は順番で実行されること、又はすべての説明された操作が実行されることを要求するものとして理解されるべきではない。特定の状況では、マルチタスクと並列処理は有利である。同様に、上記説明にはいくつかの特定の実装の詳細が含まれているが、これらは本開示の範囲の制限としてではなく、特定の実施形態に特有の特徴の説明として解釈されるべきである。別個の実施形態の文脈で記載されている特定の特徴は、単一の実施形態に組み合わせて実施することもできる。逆に、単一の実施形態の文脈で説明される様々な特徴は、複数の実施形態で別々に、又は任意の適切なサブコンビネーションで実施することもできる。
【０１１２】
本開示は、構造的特徴及び／又は方法論的動作に特有の用語で説明されてきたが、添付の請求の範囲で規定される本開示は、必ずしも上記の特定の特徴又は動作に限定されないことを理解されたい。むしろ、上記の特定の特徴及び動作は、請求の範囲を実施する例示的な形態として開示されている。
【図１】
2021516002.tif 000008
【図２】
2021516002.tif 000009
【図３】
2021516002.tif 000010
【図４】
2021516002.tif 000011
【図５】
2021516002.tif 000012
【図６】
2021516002.tif 000013
【図７】
2021516002.tif 000014
【手続補正書】
【提出日】令和2年10月12日(2020.10.12)
【手続補正１】
【補正対象書類名】特許請求の範囲
【補正対象項目名】全文
【補正方法】変更
【補正の内容】
【特許請求の範囲】
【請求項１】
ネットワークデバイスで実行される方法であって、
前記ネットワークデバイスと端末デバイスとの間で伝送される位相追跡参照信号（ＰＴＲＳ：Ｐｈａｓｅ  Ｔｒａｃｋｉｎｇ  Ｒｅｆｅｒｅｎｃｅ  Ｓｉｇｎａｌ）の時間密度、周波数密度及びグループパターンのうちの少なくとも１つに関連する候補閾値の集合を決定することと、
前記候補閾値の集合から、少なくとも１つの候補閾値の部分集合を選択することと、
前記少なくとも１つの候補閾値の部分集合から、前記端末デバイスが前記ＰＴＲＳの密度を決定するために使用される少なくとも１つの閾値を選択することと、
前記少なくとも１つの閾値の指示を前記端末デバイスに伝送することと、
を有する方法。
【請求項２】
前記ＰＴＲＳは、
前記端末デバイスから前記ネットワークデバイスに伝送されるアップリンクＰＴＲＳ、及び
前記ネットワークデバイスから前記端末デバイスに伝送されるダウンリンクＰＴＲＳ、
のうちの１つである請求項１に記載の方法。
【請求項３】
前記候補閾値の集合を決定することは、
前記候補閾値の集合の各々が所定の範囲内にあるように、前記ＰＴＲＳの周波数密度及び／又はグループパターンに関連する前記候補閾値の集合を決定することを有する、請求項１に記載の方法。
【請求項４】
前記候補閾値の集合を決定することは、さらに、
前記候補閾値の集合の少なくとも１つが２の冪であるように、前記ＰＴＲＳの周波数密度及び／又はグループパターンに関連する前記候補閾値の集合を決定することを有する、請求項３に記載の方法。
【請求項５】
前記候補閾値の集合を決定することは、さらに、
前記候補閾値の集合の少なくとも１つが自然数の２乗であるように、前記ＰＴＲＳの周波数密度及び／又はグループパターンに関連する前記候補閾値の集合を決定することを有する、請求項３に記載の方法。
【請求項６】
前記候補閾値の集合を決定することは、
所定の変調次数に基づいて、前記ＰＴＲＳの時間密度に関連する前記候補閾値の集合を決定することを有する、請求項１に記載の方法。
【請求項７】
前記候補閾値の集合を決定することは、さらに、
前記所定の変調次数に基づいて、前記ＰＴＲＳの時間密度に関連する前記候補閾値の集合内の候補閾値の数を減らすためのステップサイズを決定することと、
前記ＰＴＲＳの時間密度に関連する前記候補閾値の集合内の候補閾値の数を減らすために前記ステップサイズを適用することと、
を有する請求項６に記載の方法。
【請求項８】
前記少なくとも１つの閾値の指示を前記端末デバイスに伝送することは、
前記少なくとも１つの候補閾値の部分集合内の候補閾値の数に基づいて、前記少なくとも１つの閾値を指示するためのビット数を決定することと、
前記決定されたビット数で前記少なくとも１つの閾値の指示を伝送することと、
を有する請求項１に記載の方法。
【請求項９】
前記少なくとも１つの閾値の指示を前記端末デバイスに伝送することは、
上位層シグナリングを介して、前記少なくとも１つの閾値の指示を前記端末デバイスに伝送することを有する、請求項１に記載の方法。
【請求項１０】
端末デバイスで実行される方法であって、
ネットワークデバイスと前記端末デバイスとの間で伝送される位相追跡参照信号（ＰＴＲＳ：Ｐｈａｓｅ  Ｔｒａｃｋｉｎｇ  Ｒｅｆｅｒｅｎｃｅ  Ｓｉｇｎａｌ）の時間密度、周波数密度及びグループパターンのうちの少なくとも１つに関連する候補閾値の集合を決定することと、
前記候補閾値の集合から、少なくとも１つの候補閾値の部分集合を選択することと、
前記ネットワークデバイスから前記ＰＴＲＳの密度を決定するために使用される少なくとも１つの閾値の指示を受信したことに応答して、前記指示と前記少なくとも１つの候補閾値の部分集合とに基づいて前記少なくとも１つの閾値を決定することと、
を有する方法。
【請求項１１】
前記ＰＴＲＳは、
前記端末デバイスから前記ネットワークデバイスに伝送されるアップリンクＰＴＲＳ、及び
前記ネットワークデバイスから前記端末デバイスに伝送されるダウンリンクＰＴＲＳ、
のうちの１つである請求項１０に記載の方法。
【請求項１２】
前記候補閾値の集合を決定することは、
前記候補閾値の集合の各々が所定の範囲内にあるように、前記ＰＴＲＳの周波数密度及び／又はグループパターンに関連する前記候補閾値の集合を決定することを有する、請求項１０に記載の方法。
【請求項１３】
前記候補閾値の集合を決定することは、さらに、
前記候補閾値の集合の少なくとも１つが２の冪であるように、前記ＰＴＲＳの周波数密度及び／又はグループパターンに関連する前記候補閾値の集合を決定することを有する、請求項１２に記載の方法。
【請求項１４】
前記候補閾値の集合を決定することは、さらに、
前記候補閾値の集合の少なくとも１つが自然数の２乗であるように、前記ＰＴＲＳの周波数密度及び／又はグループパターンに関連する前記候補閾値の集合を決定することを有する、請求項１２に記載の方法。
【請求項１５】
前記候補閾値の集合を決定することは、
所定の変調次数に基づいて、前記ＰＴＲＳの時間密度に関連する前記候補閾値の集合を決定することを有する、請求項１０に記載の方法。
【国際調査報告】
2021516002.tif 000015
2021516002.tif 000016